(57)【要約】  他の光が存在しない場合にｘ、ｙ座標（０．３２，０．４０）、（０．３６，０．４８）、（０．４３，０．４５）、（０．４２，０．４２）、および（０．３６，０．３８）によって定義される領域内の光の混合を発生する、近紫外線を放射する１つまたは複数の固体発光体および５５５ｎｍから５８５ｎｍまでの範囲内の波長を有する光を放射する１つまたは複数のルミホールを含む照明デバイス。照明デバイスは、さらに、１つまたは複数の６００ｎｍから６３０ｎｍの発光体を含み、照明デバイスから放射される光の混合は、黒体軌跡の１０個のマクアダム楕円内にあるものとすることができる。また、パッケージ化された固体発光体および照明の方法も提示される。
2010527155.tif 000002
【特許請求の範囲】
【請求項１】
固体発光体の第１のグループと、
ルミホールの第１のグループと、
を含む照明デバイスであって、
前記固体発光体の第１のグループのそれぞれは、光照射状態の場合に、近紫外線領域にピーク波長を有する光を放射し、
前記ルミホールの第１のグループのそれぞれは、励起された場合、約５５５ｎｍから約５８５ｎｍの範囲内に主波長を有する光を放射し、
前記固体発光体の第１のグループのそれぞれが光照射状態の場合、（１）前記固体発光体の第１のグループによって放射された前記照明デバイスから放射される光と（２）前記ルミホールの第１のグループによって放射された前記照明デバイスから放射される光との混合は、追加の光が存在しない場合に、第１の線分が第１の点と第２の点を結び、第２の線分が前記第２の点と第３の点を結び、第３の線分が前記第３の点と第４の点を結び、第４の線分が前記第４の点と第５の点を結び、第５の線分が前記第５の点と前記第１の点を結び、前記第１の点は０．３２、０．４０のｘ、ｙ座標を有し、前記第２の点は０．３６、０．４８のｘ、ｙ座標を有し、前記第３の点は０．４３、０．４５のｘ、ｙ座標を有し、前記第４の点は０．４２、０．４２のｘ、ｙ座標を有し、前記第５の点は０．３６、０．３８のｘ、ｙ座標を有する、前記第１の線分、前記第２の線分、前記第３の線分、前記第４の線分、および前記第５の線分によって囲まれた１９３１  ＣＩＥ色度図上の領域内にある点を定義するｘ、ｙ色座標を有する混合光照射をもたらす
ことを特徴とする照明デバイス。
【請求項２】
前記固体発光体の第１のグループは、単一の固体発光体から構成されることを特徴とする請求項１に記載の照明デバイス。
【請求項３】
前記固体発光体の第１のグループは、複数の固体発光体を含むことを特徴とする請求項１に記載の照明デバイス。
【請求項４】
前記固体発光体の第１のグループの少なくとも１つは、発光ダイオードを含むことを特徴とする請求項１から３のうちのいずれか一項に記載の照明デバイス。
【請求項５】
前記照明デバイスは、少なくとも第１のパッケージを含み、前記第１のパッケージは前記固体発光体の第１のグループの少なくとも１つおよび前記ルミホールの第１のグループの少なくとも１つを含むことを特徴とする請求項１から４のうちのいずれか一項に記載の照明デバイス。
【請求項６】
前記固体発光体の第１のグループのそれぞれは、光照射状態の場合に、約３８０ｎｍから約４３０ｎｍの範囲内のピーク波長を有する光を放射することを特徴とする請求項１から５のうちのいずれか一項に記載の照明デバイス。
【請求項７】
前記固体発光体の第１のグループのそれぞれは、光照射状態の場合に、約３８０ｎｍから約４１０ｎｍの範囲内のピーク波長を有する光を放射することを特徴とする請求項１から６のうちのいずれか一項に記載の照明デバイス。
【請求項８】
前記ルミホールの第１のグループのそれぞれは、励起された場合、約５６５ｎｍから約５７０ｎｍの範囲内の主波長を有する光を放射することを特徴とする請求項７に記載の照明デバイス。
【請求項９】
前記ルミホールの第１のグループのそれぞれは、励起された場合、約５６５ｎｍから約５７０ｎｍの範囲内に主波長を有する光を放射することを特徴とする請求項１から６のうちのいずれか一項に記載の照明デバイス。
【請求項１０】
前記照明デバイスは、約６００ｎｍから約６３０ｎｍの範囲内に主波長を有する光を放射する少なくとも１つの発光体をさらに含むことを特徴とする請求項１から９のうちのいずれか一項に記載の照明デバイス。
【請求項１１】
前記固体発光体の第１のグループのそれぞれが光照射状態である場合に、（１）前記固体発光体の第１のグループによって放射された前記照明デバイスから放射される光と（２）前記ルミホールの第１のグループによって放射された前記照明デバイスから放射される光と（３）約６００ｎｍから約６３０ｎｍまでの範囲内に主波長を有する光を放射する前記少なくとも１つの発光体によって放射された前記照明デバイスから放射される光との混合は、追加の光が存在しない場合に、１９３１  ＣＩＥ色度図上の黒体軌跡に載る少なくとも１つの点の２０個のマクアダム楕円内にある１つの点を定義する１９３１  ＣＩＥ色度図上のｘ、ｙ座標を持つ組み合わされた照明をもたらすことを特徴とする請求項１０に記載の照明デバイス。
【請求項１２】
前記照明デバイスは、少なくとも第１のパッケージを含み、前記第１のパッケージは前記固体発光体の第１のグループの少なくとも１つ、および約６００ｎｍから約６３０ｎｍまでの範囲内に主波長を有する光を放射する前記少なくとも１つの発光体の少なくとも１つを含むことを特徴とする請求項１０または１１に記載の照明デバイス。
【請求項１３】
前記照明デバイスは、少なくとも第１のパッケージを含み、前記第１のパッケージは前記固体発光体の第１のグループの少なくとも１つ、前記ルミホールの第１のグループの少なくとも１つ、および約６００ｎｍから約６３０ｎｍまでの範囲内に主波長を有する光を放射する前記少なくとも１つの発光体の少なくとも１つを含むことを特徴とする請求項１０または１１に記載の照明デバイス。
【請求項１４】
約６００ｎｍから約６３０ｎｍの範囲内に主波長を有する光を放射する前記少なくとも１つの発光体は、少なくとも１つの固体発光体を含むことを特徴とする請求項１０から１３のうちのいずれか一項に記載の照明デバイス。
【請求項１５】
約６００ｎｍから約６３０ｎｍの範囲内に主波長を有する光を放射する前記少なくとも１つの発光体のうちの少なくとも１つは、発光ダイオードであることを特徴とする請求項１４に記載の照明デバイス。
【請求項１６】
約６００ｎｍから約６３０ｎｍの範囲内に主波長を有する光を放射する前記少なくとも１つの発光体は、少なくとも１つのルミホールを含むことを特徴とする請求項１０から１５のうちのいずれか一項に記載の照明デバイス。
【請求項１７】
前記照明デバイスは、少なくとも第１のパッケージ化された固体発光体および第２のパッケージ化された固体発光体を含み、
前記第１のパッケージ化された固体発光体は、前記固体発光体の第１のグループの第１のものと、前記ルミホールの第１のグループの第１のものとを含み、
前記第２のパッケージ化された固体発光体は、前記固体発光体の第１のグループの第２のものを含む
ことを特徴とする請求項１から１６のうちのいずれか一項に記載の照明デバイス。
【請求項１８】
前記照明デバイスは、さらに、カプセル封入材を含み、またパッケージ化された固体発光体の形をとることを特徴とする請求項１から１７のうちのいずれか一項に記載の照明デバイス。
【請求項１９】
前記照明デバイスは、少なくとも第１の電力線をさらに含み、
エネルギーが前記第１の電力線に供給される場合、（１）前記固体発光体の第１のグループによって放射された前記照明デバイスから放射される光と（２）前記ルミホールの第１のグループによって放射された前記照明デバイスから放射される光との混合は、追加の光が存在しない場合に、第１の線分が第１の点と第２の点を結び、第２の線分が前記第２の点と第３の点を結び、第３の線分が前記第３の点と第４の点を結び、第４の線分が前記第４の点と第５の点を結び、第５の線分が前記第５の点と前記第１の点を結び、前記第１の点は０．３２、０．４０のｘ、ｙ座標を有し、前記第２の点は０．３６、０．４８のｘ、ｙ座標を有し、前記第３の点は０．４３、０．４５のｘ、ｙ座標を有し、前記第４の点は０．４２、０．４２のｘ、ｙ座標を有し、前記第５の点は０．３６、０．３８のｘ、ｙ座標を有する、前記第１の線分、前記第２の線分、前記第３の線分、前記第４の線分、および前記第５の線分によって囲まれた１９３１  ＣＩＥ色度図上の領域内にある点を定義するｘ、ｙ色座標を有する混合光照射をもたらすことを特徴とする請求項１から１８のうちのいずれか一項に記載の照明デバイス。
【請求項２０】
前記照明デバイスは、約６００ｎｍから約６３０ｎｍの範囲内に主波長を有する光を放射する少なくとも１つの発光体をさらに含み、
エネルギーが前記第１の電力線に供給される場合、（１）前記固体発光体の第１のグループによって放射された前記照明デバイスから放射される光と（２）前記ルミホールの第１のグループによって放射された前記照明デバイスから放射される光と（３）約６００ｎｍから約６３０ｎｍまでの範囲内に主波長を有する光を放射する前記少なくとも１つの発光体によって放射された前記照明デバイスから放射される光の混合は、追加の光が存在しない場合に、１９３１  ＣＩＥ色度図上の黒体軌跡に載る少なくとも１つの点の２０個のマクアダム楕円内にある１つの点を定義する１９３１  ＣＩＥ色度図上のｘ、ｙ座標を持つ組み合わされた照明をもたらすことを特徴とする請求項１９に記載の照明デバイス。
【請求項２１】
前記照明デバイスは、約６００ｎｍから約６３０ｎｍの範囲内の主波長を有する光を放射する少なくとも１つの発光体をさらに含み、
エネルギーが前記第１の電力線に供給される場合、（１）前記固体発光体の第１のグループによって放射された前記照明デバイスから放射される光と（２）前記ルミホールの第１のグループによって放射された前記照明デバイスから放射される光と（３）約６００ｎｍから約６３０ｎｍまでの範囲内に主波長を有する光を放射する前記少なくとも１つの発光体によって放射された前記照明デバイスから放射される光の混合は、追加の光が存在しない場合に、１９３１  ＣＩＥ色度図上の黒体軌跡に載る少なくとも１つの点の２０個のマクアダム楕円内にある１つの点を定義する１９３１  ＣＩＥ色度図上のｘ、ｙ座標を持つ組み合わされた照明をもたらすことを特徴とする請求項１９または２０に記載の照明デバイス。
【請求項２２】
エネルギーが前記第１の電力線に供給される場合、６００ｎｍから７００ｎｍまでの範囲外にある主波長を有する光を放射する固体発光体およびルミホールからの前記照明デバイスから放射されるすべての光の混合は、第１の線分が第１の点と第２の点を結び、第２の線分が前記第２の点と第３の点を結び、第３の線分が前記第３の点と第４の点を結び、第４の線分が前記第４の点と第５の点を結び、第５の線分が前記第５の点と前記第１の点を結び、前記第１の点は０．３２、０．４０のｘ、ｙ座標を有し、前記第２の点は０．３６、０．４８のｘ、ｙ座標を有し、前記第３の点は０．４３、０．４５のｘ、ｙ座標を有し、前記第４の点は０．４２、０．４２のｘ、ｙ座標を有し、前記第５の点は０．３６、０．３８のｘ、ｙ座標を有する、前記第１の線分、前記第２の線分、前記第３の線分、前記第４の線分、および前記第５の線分によって囲まれた１９３１  ＣＩＥ色度図上の領域内にある点を定義するｘ、ｙ色座標を有することを特徴とする請求項１９から２１のうちのいずれか一項に記載の照明デバイス。
【請求項２３】
前記照明デバイスは、パッケージ化された固体発光体の形をとることを特徴とする請求項１から２２のうちのいずれか一項に記載の照明デバイス。
【請求項２４】
前記パッケージ化された固体発光体は、ルミホールの第２のグループをさらに含み、前記ルミホールの第２のグループのそれぞれは、励起された場合に、約６００ｎｍから約６３０ｎｍの範囲内の主波長を有する光を放射することを特徴とする請求項２３に記載の照明デバイス。
【請求項２５】
前記ルミホールの第１のグループおよび前記ルミホールの第２のグループは、単一の第１のグループ−第２のグループルミホールから構成されることを特徴とする請求項２４に記載の照明デバイス。
【請求項２６】
前記照明デバイスは、少なくとも第１の混合されたルミホールを含み、前記第１の混合されたルミホールは、前記ルミホールの第１のグループの少なくとも１つ、および前記ルミホールの第２のグループの少なくとも１つを含むことを特徴とする請求項２４に記載の照明デバイス。
【請求項２７】
前記固体発光体の第１のグループのそれぞれが光照射状態の場合、前記混合は少なくとも８５のＣＲＩ  Ｒａを有することを特徴とする請求項１から２６のうちのいずれか一項に記載の照明デバイス。
【請求項２８】
照明方法であって、
固体発光体の第１のグループに光照射を行わせ、前記固体発光体の第１のグループのそれぞれが近紫外線領域内のピーク波長を有する光を放射するステップと、
ルミホールの第１のグループを励起し、前記ルミホールの第１のグループのそれぞれが約５５５ｎｍから約５８５ｎｍの範囲内の主波長を有する光を放射するステップと、
を備え、
（１）前記固体発光体の第１のグループによって放射された前記照明デバイスから放射される光と（２）前記ルミホールの第１のグループによって放射された前記照明デバイスから放射される光との混合は、追加の光が存在しない場合に、第１の線分が第１の点と第２の点を結び、第２の線分が前記第２の点と第３の点を結び、第３の線分が前記第３の点と第４の点を結び、第４の線分が前記第４の点と第５の点を結び、第５の線分が前記第５の点と前記第１の点を結び、前記第１の点は０．３２、０．４０のｘ、ｙ座標を有し、前記第２の点は０．３６、０．４８のｘ、ｙ座標を有し、前記第３の点は０．４３、０．４５のｘ、ｙ座標を有し、前記第４の点は０．４２、０．４２のｘ、ｙ座標を有し、前記第５の点は０．３６、０．３８のｘ、ｙ座標を有する、前記第１の線分、前記第２の線分、前記第３の線分、前記第４の線分、および前記第５の線分によって囲まれた１９３１  ＣＩＥ色度図上の領域内にある点を定義するｘ、ｙ色座標を有する混合光照射をもたらすことを特徴とする方法。
【請求項２９】
前記固体発光体の第１のグループの少なくとも１つは、発光ダイオードを含むことを特徴とする請求項２８に記載の方法。
【請求項３０】
前記固体発光体の第１のグループから放射される光は、前記ルミホールの第１のグループを励起することを特徴とする請求項２８または２９に記載の方法。
【請求項３１】
前記方法は、ルミホールの第２のグループを励起するステップをさらに含み、前記ルミホールの第２のグループのそれぞれが約６００ｎｍから約６３０ｎｍの範囲内の主波長を有する光を放射することを特徴とする請求項２８から３０のうちのいずれか一項に記載の方法。
【請求項３２】
（１）前記固体発光体の第１のグループによって放射された前記照明デバイスから放射される光と（２）前記ルミホールの第１のグループによって放射された前記照明デバイスから放射される光と（３）前記ルミホールの第２のグループによって放射された前記照明デバイスから放射される光の混合は、追加の光が存在しない場合に、１９３１  ＣＩＥ色度図上の前記黒体軌跡に載っている少なくとも１つの点の２０個のマクアダム楕円内にある点を定義する１９３１  ＣＩＥ色度図上のｘ、ｙ座標を有する組み合わされた光照射をもたらすことを特徴とする請求項３１に記載の方法。
【請求項３３】
前記固体発光体の第１のグループから放射される光は、前記ルミホールの第２のグループを励起することを特徴とする請求項３１または３２に記載の方法。
【請求項３４】
前記固体発光体の第１のグループから放射される光は、前記ルミホールの第１のグループおよび前記ルミホールの第２のグループを励起することを特徴とする請求項３１から３３のうちのいずれか一項に記載の方法。
【請求項３５】
前記方法は、固体発光体の第２のグループを照射するステップをさらに含み、前記固体発光体の第２のグループのそれぞれが約６００ｎｍから約６３０ｎｍの範囲内の主波長を有する光を放射することを特徴とする請求項２８から３４のうちのいずれか一項に記載の方法。
【請求項３６】
（１）前記固体発光体の第１のグループによって放射された前記照明デバイスから放射される光と（２）前記ルミホールの第１のグループによって放射された前記照明デバイスから放射される光と（３）前記固体発光体の第２のグループによって放射された前記照明デバイスから放射される光の混合は、追加の光が存在しない場合に、１９３１  ＣＩＥ色度図上の前記黒体軌跡に載っている少なくとも１つの点の２０個のマクアダム楕円内にある点を定義する１９３１  ＣＩＥ色度図上のｘ、ｙ座標を有する組み合わされた光照射をもたらすことを特徴とする請求項３５に記載の方法。
【請求項３７】
前記固体発光体の第２のグループの少なくとも１つは、発光ダイオードを含むことを特徴とする請求項３５または３６に記載の方法。
【請求項３８】
前記混合は、少なくとも８５のＣＲＩ  Ｒａを有することを特徴とする請求項２８から３７のうちのいずれか一項に記載の方法。
【発明の詳細な説明】
【技術分野】
【０００１】
（関連出願の相互参照）
本出願は、参照により本明細書に組み込まれている、２００７年５月８日に出願した米国仮特許出願第６０／９１６，６０７号の利益を主張するものである。
【０００２】
本発明の主題は、照明デバイス、特に、１つまたは複数の固体発光体（例えば、発光ダイオード）および１つまたは複数のルミネッセンス材料（例えば、１つまたは複数のリン光体）を含むデバイスに関する。本発明の主題は、さらに、パッケージ化された固体発光体も対象とする。本発明の主題は、さらに、照明方法も対象とする。
【背景技術】
【０００３】
米国国内で発電される電力の大きな割合（ある評価によると、２５パーセント以上）が毎年、照明に使われる。そのため、エネルギー効率のよい照明を実現することが絶えず求められている。白熱電球は、エネルギー効率が非常によくない光源としてよく知られており、消費される電力の９０パーセント程度が光ではなく熱として放出される。蛍光電球は白熱電球に比べて（約１０倍）効率が高いが、それでも、発光ダイオードなどの固体発光体に比べると効率が低い。
【０００４】
それに加えて、白熱電球は、固体発光体の標準的な寿命に比べると比較的に短命であり、つまり、典型的には７５０〜１０００時間程度である。対照的に、例えば、発光ダイオードでは、その標準的寿命は５０，０００から７０，０００時間の間である。蛍光電球は白熱電球よりも寿命は長い（例えば、１０，０００〜２０，０００時間）が、好ましい色再現が劣る。
【０００５】
色再現は、典型的には、平均演色評価数（ＣＲＩ  Ｒａ）を使用して測定される。ＣＲＩ  Ｒａは、光照射システムの演色と８つの基本色の光を照射したときの基準放射体の演色との対比を示す相対測定の修正された平均である。つまり、特定のランプで光を照射したときの物体の表面色の偏移の相対尺度である。ＣＲＩ  Ｒａは、光照射システムによって照射されている一組のテスト色の色座標が基準放射体によって照射される同じテスト色の座標と同じである場合に１００に等しい。昼光は、ＣＲＩが高く（Ｒａは約１００）、白熱電球も比較的近く（Ｒａは９５より大きい）、蛍光照明は正確さに劣る（Ｒａは典型的には７０〜８０）。いくつかの種類の専用照明は、ＣＲＩが非常に低く（例えば、水銀灯またはナトリウム灯のＲａは約４０以下とかなり低い）。ナトリウム灯は、例えば、ハイウェイの照明用に使用される。しかし、運転者のレスポンスタイムは、ＣＲＩ  Ｒａ値の低下とともに著しく減少する（与えられた輝度に対し、視認性はＣＲＩ  Ｒａの低下とともに減少する）。
【０００６】
従来の照明設備で直面している他の問題は、照明デバイス（例えば、電球など）を定期的に交換する必要があるという点である。このような問題は、近づきにくい場所（例えば、アーチ型天井、橋、高層ビル、トンネル）に照明がある場合、および／または交換費用が極端に高くつく場合に特に顕著である。従来の照明具の典型的な寿命は、約２０年であり、これは、少なくとも約４４，０００時間の光発生デバイスの使用（毎日６時間２０年間にわたって使用した場合に基づく）に対応する。光発生デバイスの寿命は、典型的にはかなり短く、そのため、定期的交換が必要になる。
【０００７】
したがって、これらの理由および他の理由から、様々な用途において白熱灯、蛍光灯、および他の照明デバイスの代わりに固体発光体を使用する方法を開発する作業が進行中である。それに加えて、固体発光体がすでに使用されている場合、例えばエネルギー効率、平均演色評価数（ＣＲＩ  Ｒａ）、コントラスト、発光効率（ｌｍ／Ｗ）、および／または使用期間に関して改善された固体発光体封入デバイスを実現する作業が続けられている。
【０００８】
固体発光体の一グループは、発光ダイオードである。発光ダイオードは、電流を光に変換する、よく知られている半導体デバイスである。各種の発光ダイオードが使用される分野の多様さが増し、またその目的も多種多様である。
【０００９】
より具体的には、発光ダイオードは、電位差がｐ−ｎ接合構造間に印加されたときに光（紫外線、可視光線、または赤外線）を放射する半導体デバイスである。発光ダイオードおよび多くの関連する構造を製作する方法はよく知られており、またその数も多く、本発明の主題では、そのようなデバイスを使用することができる。発光ダイオードを含む、様々な光デバイスを説明した非特許文献１の第１２〜１４章および非特許文献２の第７章を参照されたい。
【００１０】
（例えば）電器店で売られている、一般に認められ、市販されている発光ダイオード（「ＬＥＤ」）は、典型的には、多数のパーツで構成された「パッケージ化された」デバイスである。これらのパッケージ化されたデバイスは、特許文献１、特許文献２、および特許文献３において説明されているものなど（限定はしないが）の半導体ベースの発光ダイオード、様々な配線接続部、および発光ダイオードを封入したパッケージを含む。
【００１１】
よく知られているように、発光ダイオードは、半導体活性（発光）層の伝導帯と価電子帯との間のバンドギャップを越えて電子を励起することにより光を発生する。電子遷移により、バンドギャップに依存する波長の光が発生する。したがって、発光ダイオードによって放射される光の色（波長）は、発光ダイオードの活性層の半導体材料に依存する。
【００１２】
固体発光体、例えば、発光ダイオードの開発は、様々な形で照明業界に革新をもたらしたけれども、固体発光体の特性のいくつかは難題であり、そのうちのいくつかはまだ完全には解決されていない。例えば、特定の発光ダイオードの発光スペクトルは、典型的には、（発光ダイオードの組成と構造によって示されるような）単一波長の前後に集中するが、これが望ましい用途もあれば、これが望ましくない用途もある（例えば、照明を行う場合には、このような発光スペクトルのＣＲＩ  Ｒａは非常に低くなる）。
【００１３】
白色として知覚される光は、必ず、２つ以上の色（または波長）の光の混合であるため、白色光を効率的に発生できる単一の発光ダイオード接合は開発されていない。赤色、緑色、および青色の各発光ダイオードからなる発光ダイオードピクセル／クラスタを有する「白色」発光ダイオードランプが開発されている。（１）青色光を発生する発光ダイオードおよび（２）発光ダイオードによって放射される光による励起に応答して黄色光を放射するルミネッセンス材料（例えば、リン光体）を含み、これにより、青色光と黄色光とが混合されたときに白色光と知覚される光を発生する、他の「白色」発光ダイオードランプも製作されている。
【００１４】
一般に、１９３１  ＣＩＥ色度図（１９３１年に定められた原色の国際標準）および１９７６  ＣＩＥ色度図（１９３１  ＣＩＥ色度図と同様であるが、図上の類似の距離が類似の知覚される色の違いを表すように修正された図）は、色の重み付き総和として色を定義する際の有用な基準となる。
【００１５】
様々なルミネッセンス材料（およびルミホール（ｌｕｍｉｐｈｏｒｓ）または発光団媒体（例えば、参照により本明細書に組み込まれている特許文献４参照）と呼ばれる、ルミネッセンス材料を含む構造）は、よく知られており、当業者に利用可能である。例えば、リン光体は、励起放射源によって励起されたときに応答放射線（例えば、可視光）を放射するルミネッセンス材料である。多くの場合、応答放射は、励起放射の波長と異なる波長を有する。ルミネッセンス材料の他の例としては、シンチレータ、昼光テープ（ｄａｙ  ｇｌｏｗ  ｔａｐｅ）、および紫外線を照射した後に可視スペクトルで発光するインクが挙げられる。
【００１６】
ルミネッセンス材料は、下方変換、つまり、光子を低いエネルギー準位（長い波長）に変換する材料、または上方変換、つまり、光子を高いエネルギー準位（短い波長）に変換する材料に分類することができる。
【００１７】
ＬＥＤデバイスにルミネッセンス材料を含有することは、これまで、例えば、混合またはコーティングプロセスによって、上述のようにルミネッセンス材料を透明な、または実質的に透明なカプセル封入材料（例えば、エポキシベース、シリコーンベース、ガラスベース、または金属酸化物ベースの材料）を加えることにより実施されてきた。
【００１８】
例えば、特許文献５（Ｙａｎｏ  ‘１６６）は、従来の発光ダイオードランプが発光ダイオードチップ、発光ダイオードチップを覆うための弾丸型透明ハウジング、電流を発光ダイオードチップに供給するためのリード、および発光ダイオードチップからの放射を均一方向に反射するためのカップ反射体を含み、発光ダイオードチップは第１の樹脂部分でカプセル封入され、これはさらに第２の樹脂部分でカプセル封入されることを開示している。特許文献５によれば、第１の樹脂部分は、カップ反射体に樹脂材料を充填し、カップ反射体の底部に発光ダイオードチップを載せ、次いでカソード電極とアノード電極を金属線でリードに電気的に接続した後その樹脂材料を硬化させることにより形成される。特許文献５によれば、リン光体は、発光ダイオードチップから放射された光Ａにより励起されるように第１の樹脂部分内に分散され、励起されたリン光体は、光Ａより長い波長を有する蛍光（「光Ｂ」）を発生し、光Ａの一部は、リン光体を含む第１の樹脂部分内を透過し、その結果、光Ａおよび光Ｂの混合である光Ｃが光照射として使用される。
【００１９】
上記のように、「白色ＬＥＤランプ」（つまり、白色または近白色として知覚されるランプ）が、白色白熱灯の代替候補として調査されている。白色ＬＥＤランプの代表例としては、窒化インジウムガリウム（ＩｎＧａＮ）または窒化ガリウム（ＧａＮ）で作られ、ＹＡＧなどのリン光体でコーティングされた、青色発光ダイオードチップのパッケージが挙げられる。このようなＬＥＤランプでは、青色発光ダイオードチップは青色を発光し、その放射を受けてリン光体は黄色の蛍光を放射する。例えば、いくつかの設計では、白色発光ダイオードランプは、セラミックリン光体層を青色発光半導体発光ダイオードの出力表面上に形成することにより製造される。発光ダイオードチップから放射された青色光線の一部は、リン光体を通過するが、発光ダイオードチップから放射された青色光線の一部は、リン光体によって吸収され、リン光体は励起され、黄色光線を放射する。リン光体を透過する発光ダイオードによって放射される青色光の一部は、リン光体によって放射される黄色光と混合される。観察者は、青色と黄色の光の混合を白色光として知覚する。他の種類では、赤色またはオレンジ色と緑色または黄緑の光線を発生するリン光体材料と組み合わせた青色または紫色の発光ダイオードチップを使用する。このようなランプでは、発光ダイオードチップによって放射される青色または紫色の光の一部は、リン光体を励起し、これによりリン光体は赤色またはオレンジ色と黄色または緑色の光線を放射する。これらの光線は、青色または紫色の光線と組み合わされて、白色光の知覚を生み出すことができる。
【００２０】
また上記のように、他の種類のＬＥＤランプでは、紫外線を放射する発光ダイオードチップは、赤色（Ｒ）、緑色（Ｇ）、および青色（Ｂ）の光線と組み合わされる。このような「ＲＧＢ  ＬＥＤランプ」では、発光ダイオードチップから放射された紫外線は、リン光体を励起し、これにより、リン光体は赤色、緑色、および青色の光線を放射し、これらの混合された光線は、人間の目に白色光として知覚される。したがって、白色光は、これらの光線の混合として構成されうる。
【００２１】
既存のＬＥＤコンポーネントパッケージおよび他の電子部品が１つの器具に組み立てられる設計が提示されている。このような設計では、パッケージ化されたＬＥＤは、回路基板に取り付けられるか、またはヒートシンクに直接取り付けられ、回路基板は、ヒートシンクに取り付けられ、ヒートシンクは、必要な駆動用電子部品とともに器具筐体に取り付けられる。多くの場合、追加の光学系（パッケージパーツの補助）も必要である。
【００２２】
固体発光体を他の光源、例えば白熱電球の代わりに使用する場合、パッケージ化されたＬＥＤは、従来の照明器具、例えば、中空レンズおよびレンズに取り付けられているベースプレートを含む器具とともに使用されているが、ただしベースプレートは電源に電気的に結合されている１つまたは複数の接点を持つ従来のソケット筐体を有する。例えば、電気回路基板、回路基板に取り付けられている複数のパッケージ化されたＬＥＤ、および回路基板に取り付けられ、照明器具のソケット筐体に接続されるように適合されている接続ポストを含み、電源によって複数のＬＥＤから光を照射できる、ＬＥＤ電球が製造されている。
【先行技術文献】
【特許文献】
【００２３】
【特許文献１】米国特許第４，９１８，４８７号明細書
【特許文献２】米国特許第５，６３１，１９０号明細書
【特許文献３】米国特許第５，９１２，４７７号明細書
【特許文献４】米国特許第６，６００，１７５号明細書
【特許文献５】米国特許第６，９６３，１６６号明細書
【特許文献６】米国特許出願第６０／７５３，１３８号明細書
【特許文献７】米国特許出願第１１／６１４，１８０号明細書
【特許文献８】米国特許出願第６０／７９４，３７９号明細書
【特許文献９】米国特許出願第１１／６２４，８１１号明細書
【特許文献１０】米国特許出願第６０／８０８，７０２号明細書
【特許文献１１】米国特許出願第１１／７５１，９８２号明細書
【特許文献１２】米国特許出願第６０／８０８，９２５号明細書
【特許文献１３】米国特許出願第１１／７５３，１０３号明細書
【特許文献１４】米国特許出願第６０／８０２，６９７号明細書
【特許文献１５】米国特許出願第１１／７５１，９９０号明細書
【特許文献１６】米国特許出願第６０／７９３，５２４号明細書
【特許文献１７】米国特許出願第１１／７３６，７６１号明細書
【特許文献１８】米国特許出願第６０／８３９，４５３号明細書
【特許文献１９】米国特許出願第１１／８４３，２４３号明細書
【特許文献２０】米国特許出願第６０／８５１，２３０号明細書
【特許文献２１】米国特許出願第１１／８７０，６７９号明細書
【特許文献２２】米国特許出願第６０／９１６，６０８号明細書
【特許文献２３】米国特許出願第１２／０１７，６７６号明細書
【特許文献２４】米国特許出願第６０／９８２，９００号明細書
【特許文献２５】米国特許出願第６０／８０９，９５９号明細書
【特許文献２６】米国特許出願第１１／６２６，４８３号明細書
【特許文献２７】米国特許出願第６０／８０９，５９５号明細書
【特許文献２８】米国特許出願第１１／７５５，１６２号明細書
【特許文献２９】米国特許出願第６０／８４４，３２５号明細書
【特許文献３０】米国特許出願第１１／８５４，７４４号明細書
【特許文献３１】米国特許出願第６０／９４３，９１０号明細書
【特許文献３２】米国特許出願第６０／９９０，７２４号明細書
【特許文献３３】米国特許出願第６１／０４１，４０４号明細書
【特許文献３４】米国特許出願第６１／０２２，８８６号明細書
【特許文献３５】米国特許出願第６１／０３９，９２６号明細書
【特許文献３６】米国特許出願第６０／７５２，７５３号明細書
【特許文献３７】米国特許出願第１１／６１３，６９２号明細書
【特許文献３８】米国特許出願第６０／７９８，４４６号明細書
【特許文献３９】米国特許出願第１１／７４３，７５４号明細書
【特許文献４０】米国特許出願第６０／８０９，６１８号明細書
【特許文献４１】米国特許出願第１１／７５５，１５３号明細書
【特許文献４２】米国特許出願第６０／８４５，４２９号明細書
【特許文献４３】米国特許出願第１１／８５６，４２１号明細書
【特許文献４４】米国特許出願第６０／８４６，２２２号明細書
【特許文献４５】米国特許出願第１１／８５９，０４８号明細書
【特許文献４６】米国特許出願第６０／８５８，５５８号明細書
【特許文献４７】米国特許出願第１１／９３９，０４７号明細書
【特許文献４８】米国特許出願第６０／８５８，８８１号明細書
【特許文献４９】米国特許出願第１１／９３９，０５２号明細書
【特許文献５０】米国特許出願第６０／８５９，０１３号明細書
【特許文献５１】米国特許出願第１１／７３６，７９９号明細書
【特許文献５２】米国特許出願第６０／８５３，５８９号明細書
【特許文献５３】米国特許出願第１１／８７７，０３８号明細書
【特許文献５４】米国特許出願第６０／８６１，９０１号明細書
【特許文献５５】米国特許出願第６０／９１６，３８４号明細書
【特許文献５６】米国特許出願第１１／９４８，０４１号明細書
【特許文献５７】米国特許出願第６０／９１６，０３０号明細書
【特許文献５８】米国特許出願第６０／９１６，４０７号明細書
【特許文献５９】米国特許出願第６１／０２９，０６８号明細書
【特許文献６０】米国特許出願第６１／０３７，３６６号明細書
【特許文献６１】米国特許出願第１２／０１７，５５８号明細書
【特許文献６２】米国特許出願第６０／８８５，９３７号明細書
【特許文献６３】米国特許出願第６０／９８２，８９２号明細書
【特許文献６４】米国特許出願第６０／９８６，６６２号明細書
【特許文献６５】米国特許出願第１２／０１７，６００号明細書
【特許文献６６】米国特許出願第６０／９８２，９０９号明細書
【特許文献６７】米国特許出願第６０／９８６，７９５号明細書
【非特許文献】
【００２４】
【非特許文献１】Sze, Physics of Semiconductor Devices (2d Ed. 1981)
【非特許文献２】Sze, Modern Semiconductor Device Physics (1998)
【非特許文献３】"Encyclopedia of Physical Science and Technology", vol. 7, 230-231 (Robert A Meyers ed., 1987)
【非特許文献４】K. H. Butler, "Fluorescent Lamp Phosphors" (The Pennsylvania State University Press 1980)
【非特許文献５】G. Blasse et al., "Luminescent Materials" (Springer-Verlag 1994)
【発明の概要】
【発明が解決しようとする課題】
【００２５】
固体発光体、例えば、発光ダイオードを使用して様々な用途で白色光を利用できるようにし、しかもエネルギー効率を高め、平均演色評価数（ＣＲＩ  Ｒａ）を改善し、発光効率（ｌｍ／Ｗ）を上げ、および／または耐用期間を延ばすような方法が継続して求められている。
【課題を解決するための手段】
【００２６】
比較的効率がよいが、演色に劣り、典型的には、７５未満のＣＲＩ  Ｒａ値を有し、赤色のレンダリングには特に不十分であり、また緑色でもかなりの程度不十分である、「白色」ＬＥＤ光源が存在する。これは、典型的な人間の顔色、食品、ラベル、絵画、ポスター、標識、アパレル、家の装飾、植物、花、自動車などをはじめとする、数多くの物が、白熱灯または自然照明の光で照射されるのと比較して風変わりな色、または違った色を示すことを意味する。このような白色ＬＥＤランプは、典型的には、約５０００Ｋの色温度を有し、これは一般的に全般照明に対しては視覚的に心地よいものではないが、商業製品または広告および印刷物の照明には望ましい場合がある。
【００２７】
いくつかのいわゆる「温白色」ＬＥＤランプは、屋内での使用に対してはより許容できる色温度（典型的には２７００から３５００Ｋ）を有し、いくつかの特殊な場合には、ＣＲＩ  Ｒａは適切であるが（黄色と赤色のリン光体混合の場合には、Ｒａ＝９５と同程度）、その効率は、一般的に、標準の「冷白色」ＬＥＤランプの効率に比べてかなり低い。
【００２８】
ＲＧＢ  ＬＥＤランプの光を照射される着色した物体は、ときには、本当の色のようには見えない。例えば、黄色光のみを反射し、したがって白色光を照射されたときに黄色であるように見える物体は、ＲＧＢ  ＬＥＤ照明器具の赤色および緑色のＬＥＤによって生じる、一見すると黄色の光を照射されたときに鈍く、くっきりしていない（または彩度が減少し、灰色がかっている）ように見えることがある。したがって、このようなランプは、特に全般照明などにおける様々なセッティングに光を照射したときに、また特に、自然の情景に関しては、優れた演色を実現するとは考えられない。また、現在利用可能な緑色ＬＥＤは、比較的効率が悪く、したがって、そのようなランプの効率が制限される。
【００２９】
様々な色相を有するＬＥＤを使用する場合、低い効率のものも含めて、様々な効率を有するＬＥＤを使用することが同様に必要になり、このため、このようなシステムの効率は低下し、また数多くの異なる種類のＬＥＤを制御し、光のカラーバランスを維持する回路の複雑度とコストが劇的に増大することになる。
【００３０】
したがって、白色ＬＥＤランプの効率および長寿命という特徴（つまり、比較的に低効率の光源の使用を避ける）と許容可能な色温度、良好な演色評価数、広い範囲にわたって単純な制御回路という特徴を併せ持つ高効率の白色光源が必要である。
【００３１】
本発明の主題に従って、高い発光効率を実現しつつ高いＣＲＴ  Ｒａを実現することを目的として、固体発光体の第１のグループに光照射を行わせ、固体発光体の第１のグループのそれぞれが近紫外線領域内のピーク波長を有する近紫外線を放射するようにすることと、ルミホール（ｌｕｍｉｐｈｏｒｓ）の第１のグループを励起し、ルミホールの第１のグループのそれぞれが約５５５ｎｍから約５８５ｎｍの範囲内の主波長を有する光を放射するようにし、ここで、（１）固体発光体の第１のグループによって放射された照明デバイスから放射される光と（２）ルミホールの第１のグループによって放射された照明デバイスから放射される光との混合が、追加の光なしに、第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．３２、０．４０のｘ、ｙ座標を有し、第２の点は０．３６、０．４８のｘ、ｙ座標を有し、第３の点は０．４３、０．４５のｘ、ｙ座標を有し、第４の点は０．４２、０．４２のｘ、ｙ座標を有し、第５の点は０．３６、０．３８のｘ、ｙ座標を有する、第１、第２、第３、第４、および第５の線分によって囲まれた１９３１  ＣＩＥ色度図上の領域内にある点を定義するｘ、ｙ色座標を有する混合光照射をもたらすことと、このような光の混合を、この光の混合と組み合わせたときに白色光と知覚される光をもたらすオレンジ色または赤色の光と組み合わせることとを含む方法が提供される。
【００３２】
「主波長」という表現は、本明細書では、光源のスペクトルパワー分布における最大パワーを持つスペクトル線を指すことがよく知られている「ピーク波長」とは反対に、スペクトルの知覚された色、つまり光源によって放射された光を見たときに知覚される色感覚に最もよく似た色感覚を引き起こす単一の波長（つまり、「色相」におおよそ類似している）を指すよく知られている許容される意味に従って使用される。人間の目は、すべての波長を等しく知覚するわけではなく（黄色と緑色の知覚は、赤色と青色に比べてよい）、また多くの固体発光体（例えば、ＬＥＤ）によって放射される光は、実際には、ある範囲の波長であるため、知覚される色（つまり、主波長）は、必ずしも、最高パワーを持つ波長（ピーク波長）に等しいわけではない（多くの場合、異なる）。レーザーなどの真の単色光は、同じ主波長およびピーク波長を有する。紫外線（ＵＶ）は、定義上、非可視であり、したがって、主波長に関して定義することができない。紫外線は、バンドまたはピーク波長または波長帯によって定義される。ＵＶは、１００ｎｍから４００ｎｍまでの範囲の波長を有するものとして定義される。濃紫色または紫およびＵＶなどの一部の可視色の波長には重複する部分がある。この重複する範囲は、３６０ｎｍから４００ｎｍである。この範囲内の光は、主波長またはピーク波長の両方に関して定義されうる。わかりやすくするため、近ＵＶ光による照射または励起、および／または４００ｎｍより下の波長を包含する範囲内での照射または励起を特徴付けるために本明細書で使用される波長は、ピーク波長を指す。
【００３３】
本発明の主題の第１の態様によれば、照明デバイスが実現され、このデバイスは、固体発光体の第１のグループと、ルミホールの第１のグループとを含み、ここで、固体発光体の第１のグループのそれぞれは、光照射状態の場合に、近紫外線領域のピーク波長を有する光を放射し、ルミホールの第１のグループのそれぞれは、励起された場合、約５５５ｎｍから約５８５ｎｍの範囲内の主波長を有する光を放射し、固体発光体の第１のグループのそれぞれが光照射状態の場合、（１）固体発光体の第１のグループによって放射された照明デバイスから放射される光と（２）ルミホールの第１のグループによって放射された照明デバイスから放射される光との混合は、追加の光が存在しない場合に、第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．３２、０．４０のｘ、ｙ座標を有し、第２の点は０．３６、０．４８のｘ、ｙ座標を有し、第３の点は０．４３、０．４５のｘ、ｙ座標を有し、第４の点は０．４２、０．４２のｘ、ｙ座標を有し、第５の点は０．３６、０．３８のｘ、ｙ座標を有する、第１、第２、第３、第４、および第５の線分によって囲まれた１９３１  ＣＩＥ色度図上の領域内にある点を定義するｘ、ｙ色座標を有する混合光照射をもたらす。
【００３４】
本発明の主題のこの態様によるいくつかの実施形態では、固体発光体の第１のグループのそれぞれが光照射状態の場合、照明デバイスは、少なくとも８５のＣＲＩ  Ｒａ、いくつかの実施形態では少なくとも９０のＣＲＩ  Ｒａ、いくつかの実施形態では少なくとも９２のＣＲＩ  Ｒａ、および、いくつかの実施形態では少なくとも９５のＣＲＩ  Ｒａを有する光を放射する。
【００３５】
本発明の主題の第２の態様によれば、照明デバイスが実現され、このデバイスは、固体発光体の第１のグループと、ルミホールの第１のグループと、少なくとも１つの第１の電力線を含み、ここで、固体発光体の第１のグループのそれぞれは、光照射状態の場合に、近紫外線領域のピーク波長を有する光を放射し、ルミホールの第１のグループのそれぞれは、励起された場合、約５５５ｎｍから約５８５ｎｍの範囲内の主波長を有する光を放射し、エネルギーが第１の電力線に供給される場合、（１）固体発光体の第１のグループによって放射された照明デバイスから放射される光と（２）ルミホールの第１のグループによって放射された照明デバイスから放射される光との混合は、追加の光が存在しない場合に、第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．３２、０．４０のｘ、ｙ座標を有し、第２の点は０．３６、０．４８のｘ、ｙ座標を有し、第３の点は０．４３、０．４５のｘ、ｙ座標を有し、第４の点は０．４２、０．４２のｘ、ｙ座標を有し、第５の点は０．３６、０．３８のｘ、ｙ座標を有する、第１、第２、第３、第４、および第５の線分によって囲まれた１９３１  ＣＩＥ色度図上の領域内にある点を定義するｘ、ｙ色座標を有する混合光照射をもたらす。
【００３６】
本発明の主題の第３の態様によれば、照明の方法が提供され、この方法は、固体発光体の第１のグループに光照射を行わせ、固体発光体の第１のグループのそれぞれが近紫外線領域内のピーク波長を有する光を放射するようにすることと、ルミホールの第１のグループを励起し、ルミホールの第１のグループのそれぞれが約５５５ｎｍから約５８５ｎｍの範囲内の主波長を有する光を放射するようにすることとを含み、ここで、（１）固体発光体の第１のグループによって放射された照明デバイスから放射される光と（２）ルミホールの第１のグループによって放射された照明デバイスから放射される光との混合が、追加の光が存在しない場合に、第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．３２、０．４０のｘ、ｙ座標を有し、第２の点は０．３６、０．４８のｘ、ｙ座標を有し、第３の点は０．４３、０．４５のｘ、ｙ座標を有し、第４の点は０．４２、０．４２のｘ、ｙ座標を有し、第５の点は０．３６、０．３８のｘ、ｙ座標を有する、第１、第２、第３、第４、および第５の線分によって囲まれた１９３１  ＣＩＥ色度図上の領域内にある点を定義するｘ、ｙ色座標を有する混合光照射をもたらす。
【００３７】
本発明の主題のこの態様による、いくつかの実施形態では、照明デバイスから放射される光の混合は、少なくとも８５のＣＲＩ  Ｒａ、いくつかの実施形態では少なくとも９０のＣＲＩ  Ｒａ、いくつかの実施形態では少なくとも９２のＣＲＩ  Ｒａ、および、いくつかの実施形態では少なくとも９５のＣＲＩ  Ｒａを有する。
【００３８】
本発明の主題の第１、第２、および第３の態様によるいくつかの実施形態では、固体発光体の第１のグループのうちの少なくとも１つは、発光ダイオードを含む。
【００３９】
本発明の主題の第１、第２、および第３の態様によるいくつかの実施形態では、固体発光体の第１のグループのそれぞれは、光照射状態の場合に、約３８０ｎｍから約４３０ｎｍの範囲内のピーク波長を有する光を放射する。
【００４０】
本発明の主題の第１、第２、および第３の態様によるいくつかの実施形態では、固体発光体の第１のグループのそれぞれは、光照射状態の場合に、約３８０ｎｍから約４１０ｎｍの範囲内のピーク波長を有する光を放射する。
【００４１】
本発明の主題の第１、第２、および第３の態様によるいくつかの実施形態では、ルミホールの第１のグループのそれぞれは、励起された場合に、約５６５ｎｍから約５７０ｎｍの範囲内の主波長を有する光を放射する。
【００４２】
本発明の主題の第１および第２の態様によるいくつかの実施形態では、（１）照明デバイスは、さらに、ルミホールの第２のグループを含み、（２）ルミホールの第２のグループは、励起された場合に、約６００ｎｍから約６３０ｎｍの範囲内の主波長を有する光を放射する。このようないくつかの実施形態では、固体発光体の第１のグループのそれぞれが光照射状態の場合に、（１）固体発光体の第１のグループによって放射された照明デバイスから放射される光と（２）ルミホールの第１のグループによって放射された照明デバイスから放射される光と（３）ルミホールの第２のグループによって放射された照明デバイスから放射される光との混合は、追加の光が存在しない場合に、１９３１  ＣＩＥ色度図上の黒体軌跡に載っている少なくとも１つの点の４０個のマクアダム楕円（または２０個のマクアダム楕円、または１０個のマクアダム楕円、または５個のマクアダム楕円、または３個のマクアダム楕円）内にある点を定義するｘ、ｙ座標が１９３１  ＣＩＥ色度図上にある組み合わされた光照射をもたらす。
【００４３】
本発明の主題の第１および第２の態様によるいくつかの実施形態では、（１）照明デバイスは、さらに、固体発光体の第２のグループを含み、（２）固体発光体の第２のグループは、光照射状態の場合に、約６００ｎｍから約６３０ｎｍの範囲内の主波長を有する光を放射する。このようないくつかの実施形態では、固体発光体の第１のグループのそれぞれが光照射状態であり、固体発光体の第２のグループのそれぞれが光照射状態の場合に、（１）固体発光体の第１のグループによって放射された照明デバイスから放射される光と（２）ルミホールの第１のグループによって放射された照明デバイスから放射される光と（３）固体発光体の第２のグループによって放射された照明デバイスから放射される光の混合は、追加の光が存在しない場合に、１９３１  ＣＩＥ色度図上の黒体軌跡に載っている少なくとも１つの点の４０個のマクアダム楕円（または２０個のマクアダム楕円、または１０個のマクアダム楕円、または５個のマクアダム楕円、または３個のマクアダム楕円）内にある点を定義するｘ、ｙ座標が１９３１  ＣＩＥ色度図上にある組み合わされた光照射をもたらす。
【００４４】
本発明の主題の第１および第２の態様によるいくつかの実施形態では、照明デバイスはさらに、カプセル封入材を含み、またパッケージ化された固体発光体の形態をとる。
【００４５】
本発明の主題の第３の態様によるいくつかの実施形態では、この方法は、さらに、ルミホールの第２のグループを励起し、ルミホールの第２のグループのそれぞれが約６００ｎｍから約６３０ｎｍの範囲内の主波長を有する光を放射するようにすることを含む。このようないくつかの実施形態では、（１）固体発光体の第１のグループによって放射された照明デバイスから放射される光と（２）ルミホールの第１のグループによって放射された照明デバイスから放射される光と（３）ルミホールの第２のグループによって放射された照明デバイスから放射される光の混合は、追加の光が存在しない場合に、１９３１  ＣＩＥ色度図上の黒体軌跡に載っている少なくとも１つの点の４０個のマクアダム楕円（または２０個のマクアダム楕円、または１０個のマクアダム楕円、または５個のマクアダム楕円、または３個のマクアダム楕円）内にある点を定義するｘ、ｙ座標が１９３１  ＣＩＥ色度図上にある組み合わされた光照射をもたらす。
【００４６】
本発明の主題の第３の態様によるいくつかの実施形態では、この方法は、さらに、固体発光体の第２のグループに光照射を行わせ、固体発光体の第２のグループのそれぞれが約６００ｎｍから約６３０ｎｍの範囲内の主波長を有する光を放射するようにすることを含む。このようないくつかの実施形態では、（１）固体発光体の第１のグループによって放射された照明デバイスから放射される光と（２）ルミホールの第１のグループによって放射された照明デバイスから放射される光と（３）固体発光体の第２のグループによって放射された照明デバイスから放射される光の混合は、追加の光が存在しない場合に、１９３１  ＣＩＥ色度図上の黒体軌跡に載っている少なくとも１つの点の４０個のマクアダム楕円（または２０個のマクアダム楕円、または１０個のマクアダム楕円、または５個のマクアダム楕円、または３個のマクアダム楕円）内にある点を定義するｘ、ｙ座標が１９３１  ＣＩＥ色度図上にある組み合わされた光照射をもたらす。
【００４７】
本発明の主題の第１または第２の態様によるいくつかの実施形態では、エネルギーが第１の電力線に供給される場合、６００ｎｍから７００ｎｍの範囲外の主波長を有する光を放射する固体発光体およびルミホールからの照明デバイスから放射されるすべての光の混合は、第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．３２、０．４０のｘ、ｙ座標を有し、第２の点は０．３６、０．４８のｘ、ｙ座標を有し、第３の点は０．４３、０．４５のｘ、ｙ座標を有し、第４の点は０．４２、０．４２のｘ、ｙ座標を有し、第５の点は０．３６、０．３８のｘ、ｙ座標を有する、第１、第２、第３、第４、および第５の線分によって囲まれた１９３１  ＣＩＥ色度図上の領域内にある点を定義するｘ、ｙ色座標を有する。
【００４８】
本発明の主題の第４の態様によれば、パッケージ化された固体発光体が実現され、このパッケージ化された固体発光体は、第１の固体発光体と、ルミホールの第１のグループとを含み、ここで、第１の固体発光体は、光照射状態の場合に、近紫外線領域のピーク波長を有する光を放射し、ルミホールの第１のグループのそれぞれは、励起された場合、約５５５ｎｍから約５８５ｎｍの範囲内の主波長を有する光を放射し、第１の固体発光体が光照射状態の場合、（１）第１の固体発光体によって放射された照明デバイスから放射される光と（２）ルミホールの第１のグループによって放射された照明デバイスから放射される光との混合は、追加の光が存在しない場合に、第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．３２、０．４０のｘ、ｙ座標を有し、第２の点は０．３６、０．４８のｘ、ｙ座標を有し、第３の点は０．４３、０．４５のｘ、ｙ座標を有し、第４の点は０．４２、０．４２のｘ、ｙ座標を有し、第５の点は０．３６、０．３８のｘ、ｙ座標を有する、第１、第２、第３、第４、および第５の線分によって囲まれた１９３１  ＣＩＥ色度図上の領域内にある点を定義するｘ、ｙ色座標を有する混合光照射をもたらす。
【００４９】
本発明の主題の第４の態様によるいくつかの実施形態では、パッケージ化された固体発光体は、さらに、ルミホールの第２のグループを含み、ルミホールの第２のグループのそれぞれは、励起された場合に、約６００ｎｍから約６３０ｎｍの範囲内の主波長を有する光を放射する。このようないくつかの実施形態では、第１の固体発光体が光照射状態の場合に、（１）第１の固体発光体によって放射されたパッケージ化された固体発光体から放射される光と（２）ルミホールの第１のグループによって放射されたパッケージ化された固体発光体から放射される光と（３）ルミホールの第２のグループによって放射されたパッケージ化された固体発光体から放射される光の混合は、１９３１  ＣＩＥ色度図上の黒体軌跡に載っている少なくとも１つの点の４０個のマクアダム楕円（または２０個のマクアダム楕円、または１０個のマクアダム楕円、または５個のマクアダム楕円、または３個のマクアダム楕円）内にある点を定義するｘ、ｙ座標が１９３１  ＣＩＥ色度図上にある組み合わされた光照射をもたらす。
【００５０】
本発明の主題は、さらに、囲まれた空間および本発明の主題による少なくとも１つの照明デバイスを含み、照明デバイスは囲まれた空間の少なくとも一部に（均一にまたは不均一に）光を照射する、被照射エンクロージャ（その容積は均一にまたは不均一に光を照射されうる）に関する。
【００５１】
本発明の主題は、さらに、表面および本明細書で説明されているような少なくとも１つの照明デバイスを含む構造を対象とし、複数の固体発光体のうちの１つまたは複数が光照射状態の場合に（または電流が１つまたは複数の電力線に供給された場合に）、照明デバイスはこの表面の少なくとも一部に光を照射する。
【００５２】
本発明の主題は、さらに、例えば、本明細書で説明されているような少なくとも１つの照明デバイスが取り付けられている構造物、スイミングプールまたはスパ、部屋、倉庫、インジケータ、道路、駐車場、車両、標識、例えば交通標識、広告看板、船舶、おもちゃ、鏡、大型船、電子デバイス、ボート、飛行機、スタジアム、コンピュータ、リモートオーディオデバイス、リモートビデオデバイス、携帯電話、樹木、窓、ＬＣＤディスプレイ、洞窟、トンネル、庭、街灯柱などからなる群から選択された、少なくとも１つの物を含む、被照射領域を対象とする。
【００５３】
本発明の主題によるいくつかの実施形態では、照明デバイスは、さらに、少なくとも１つの追加の白色固体発光体、つまり、白色もしくは白色に近い色として知覚される光を放射するデバイス（例えば、光照射状態および／または励起状態のときに、青色発光ダイオードチップと黄色ルミホールとからなるパッケージ化されたＬＥＤなどの、白色もしくは白色に近い色として知覚される光の組合せを放射する、少なくとも１つの発光ダイオードチップおよび／または少なくとも１つのルミホールを含むパッケージ化されたＬＥＤ）を含み、１つまたは複数の追加の白色固体発光体は、それぞれ、上で定義されているような第１、第２、第３、第４、および第５の線分によって囲まれている１９３１  ＣＩＥ色度図上の第１の領域の外にある点を定義するｘ、ｙ座標を有する光の組合せを放射する。
【００５４】
本発明の主題によるいくつかの実施形態では、混合光照射は、第１の線分が第１の点と第２の点を結び、第２の線分が第２の点と第３の点を結び、第３の線分が第３の点と第４の点を結び、第４の線分が第４の点と第１の点を結び、第１の点は０．３２、０．４０のｘ、ｙ座標を有し、第２の点は０．３６、０．３８のｘ、ｙ座標を有し、第３の点は０．４１、０．４５５のｘ、ｙ座標を有し、第４の点は０．３６、０．４８のｘ、ｙ座標を有する（または、第１の点は０．３７６、０．４８７のｘ、ｙ座標を有し、第２の点は０．４０７、０．４７０のｘ、ｙ座標を有し、第３の点は０．３５９、０．３８４のｘ、ｙ座標を有し、第４の点は０．３２６、０．３９１のｘ、ｙ座標を有する）、第１、第２、第３、および第４の線分によって囲まれる、１９３１  ＣＩＥ色度図上の第１の部分群領域内にある点を定義するｘ、ｙ色座標を有するか、または混合光照射は、ｘが約０．３７３から約０．３８３までの範囲内にあり、ｙが約０．４４１から約０．４５１までの範囲内にある部分領域内にあるか、またはｘが約０．４５４から約０．４６４までの範囲内にあり、ｙが約０．４０７から約０．４１７までの範囲内にある部分領域内にあるか、またはｘが約０．３６７から約０．３７７までの範囲内にあり、ｙが約０．４３１から約０．４４１までの範囲内にある部分領域内にあるか、またはｘが約０．４４３から約０．４５３までの範囲内にあり、ｙが約０．４０２から約０．４１２までの範囲内にある部分領域内にあるか、またはｘが約０．３６３から約０．３７３までの範囲内にあり、ｙが約０．４２３から約０．４３３までの範囲内にある部分領域内にあるか、またはｘが約０．４３５から約０．４４５までの範囲内にあり、ｙが約０．３９８から約０．４０８までの範囲内にある部分領域内にあるか、またはｘが約０．３５２から約０．３６２までの範囲内にあり、ｙが約０．４０３から約０．４１３までの範囲内にある部分領域内にあるか、またはｘが約０．４０６から約０．４１６までの範囲内にあり、ｙが約０．３８８から約０．３９８までの範囲内にある部分領域内にある。
【００５５】
固体発光体は、飽和である場合も非飽和である場合もある。本明細書で使用されるような「飽和」という用語は、少なくとも８５％の純度を持つことを意味し、「純度」という用語は、当業者によく知られている意味を有し、純度を計算する手順は当業者によく知られている。
【００５６】
本発明の主題に関係する態様は、１９３１  ＣＩＥ（Ｃｏｍｍｉｓｓｉｏｎ  Ｉｎｔｅｒｎａｔｉｏｎａｌ  ｄｅ  Ｉ’Ｅｃｌａｉｒａｇｅ）色度図または１９７６  ＣＩＥ色度図のいずれかで表すことができる。図１は、１９３１  ＣＩＥ色度図を示している。図２は、１９７６色度図を示している。図３は、黒体軌跡を含む、１９７６色度図の一部を示している。当業者は、これらの図を熟知しており、またこれらの図は、容易に入手可能である（例えば、インターネットで「ＣＩＥ  Ｃｈｒｏｍａｔｉｃｉｔｙ  Ｄｉａｇｒａｍ」または「ＣＩＥ色度図」を検索するとよい）。
【００５７】
ＣＩＥ色度図は、人間の色知覚を２つのＣＩＥパラメータｘおよびｙ（１９３１色度図の場合）またはｕ’およびｖ’（１９７６色度図の場合）に関する地図にしたものである。ＣＩＥ色度図の技術的な説明については非特許文献３を参照されたい。スペクトル色は、輪郭空間の縁の周りに分布し、これは、人間の目で知覚される色相のすべてを含む。境界線は、スペクトル色の最大彩度を表す。上記のように、１９７６  ＣＩＥ色度図は、１９３１  ＣＩＥ色度図に類似しているが、ただし、１９７６  ＣＩＥ色度図は、図上の類似距離が類似の知覚された色の違いを表すように修正されている点が異なる。
【００５８】
１９３１  ＣＩＥ色度図では、１９３１  ＣＩＥ色度図上の点からの偏位は、座標に関して、またはその代わりに、知覚された色の違いの程度に関する指標を与えるためにマクアダム楕円に関して、表すことができる。例えば、１９３１  ＣＩＥ色度図上の特定の一組の座標によって定義された指定された色相からの１０個のマクアダム楕円として定義される点の軌跡は、指定された色相から共通の程度だけ異なるものとそれぞれ知覚される色相からなる（また、他の数のマクアダム楕円によって特定の色相から相隔てられるものとして定義されている点の軌跡についても同様である）。
【００５９】
１９７６  ＣＩＥ色度図上の類似距離は、類似の知覚された色の違いを表すので、１９７６  ＣＩＥ色度図上のある点からの偏位は、座標ｕ’およびｖ’、例えば、点＝（Δｕ’2＋Δｖ’2）1/2に関して表すことができ、それぞれ指定された色相からの共通距離である点の軌跡は、指定された色相から共通の程度だけ異なるものとしてそれぞれ知覚される色相からなる。
【００６０】
色度座標および図１〜３に例示されているＣＩＥ色度図は、多数の書籍および他の刊行物で詳しく説明されている（例えば、参照により本明細書に組み込まれている非特許文献４の９８〜１０７ページおよび非特許文献５の１０９〜１１０ページを参照）。
【００６１】
黒体軌跡にそって配置される色度座標（つまり、色点）は、プランクの公式Ｅ（λ）＝Ａλ-5／（ｅ(B/T)−１）に従うが、ただし、Ｅは放射強度、λは放射波長、Ｔは黒体の色温度、ＡおよびＢは定数である。黒体軌跡上にある、または黒体軌跡に近い位置にある色座標は、人間観察者にとって心地よい白色光をもたらす。１９７６  ＣＩＥ色度図は、黒体軌跡にそった温度リスティングを含む。これらの温度リスティングは、このような温度まで上昇させられる黒体放射体の色経路を示している。加熱された物体は、白熱するときに、最初に赤みを帯びた光を発し、次いで黄色みを帯び、そして白色になり、最後に青みを帯びた光を発する。これは、黒体放射体のピーク放射に関連する波長が、温度上昇とともに徐々に短くなるため生じることであり、ウィーンの変位則に従っている。黒体軌跡上にある、または黒体軌跡の近くの位置にある光を発生する発光体は、したがって、その色温度に関して記述することができる。
【００６２】
本発明の主題は、付属の図面および本発明の主題の以下の詳細な説明を参照することでより詳しく理解できる。
【図面の簡単な説明】
【００６３】
【図１】１９３１  ＣＩＥ色度図を示す図である。
【図２】１９７６色度図を示す図である。
【図３】黒体軌跡を含む、１９７６色度図の一部を示す図である。
【図４】本発明の主題による照明デバイスの第１の実施形態を示す図である。
【図５】図４に示されている実施形態におけるパッケージ化されたＬＥＤ  １６ａの断面図である。
【図６】図４に示されている実施形態におけるパッケージ化されたＬＥＤ  １６ｂの断面図である。
【図７】本発明の主題による照明デバイスの第２の実施形態を示す図である。
【図８】図７に示されている実施形態におけるパッケージ化されたＬＥＤ  ４５の一部の断面図である。
【図９】本発明の主題による照明デバイスの第３の実施形態を示す図である。
【図１０】図９に示されている実施形態におけるパッケージ化されたＬＥＤ  １６ｃの断面図である。
【図１１】図９に示されているデバイス内の回路の一部の電気回路略図である。
【図１２】本明細書で説明されているような第１、第２、第３、第４、および第５の線分によって囲まれている１９３１  ＣＩＥ色度図上の一領域を示す図である。
【発明を実施するための形態】
【００６４】
次に、本発明の主題の実施形態が示されている、付属の図面を参照しつつ、本発明の主題についてさらに詳しく以下で説明する。しかし、本発明の主題は、本明細書で述べられている実施形態に限定されるものとして解釈されるべきではない。むしろ、これらの実施形態は、本開示が詳細で完全なものとなるように、また当業者に本発明の主題の範囲が全部伝わるように用意されたものである。全体を通して、類似の番号は、類似の要素を指す。本明細書で使用されているように、「および／または」は、関連して列挙されている品目の１つまたは複数のありとあらゆる組合せを含む。
【００６５】
本明細書で使用されている用語は、特定の実施形態のみを説明することを目的としており、本発明の主題の範囲を制限することは意図されていない。本明細書で使用されているように、「１つの（または使わない場合もある）」および「その（使わない場合もある）」（英語原文の単数形の冠詞「ａ」、「ａｎ」、および「ｔｈｅ」）は、文脈上明らかにそうでないことを示していない限り、複数形も含むことが意図されている。さらに、「含む」および／または「含むこと」という言い回しは、本明細書内で使用されている場合、記載されている特徴、整数、工程、動作、要素、および／またはコンポーネント（または構成要素）の存在を意味し、１つまたは複数の他の特徴、整数、工程、動作、要素、コンポーネント（または構成要素）、および／またはそれらからなる群の存在もしくは追加を除外しないことも理解されるであろう。
【００６６】
「３８０ｎｍから４３０ｎｍまでの固体発光体」という表現は、光照射状態の場合に、約３８０ｎｍから４３０ｎｍまでの範囲内のピーク波長を有する光を放射する固体発光体を意味する。
【００６７】
「６００ｎｍから６３０ｎｍまでの固体発光体」という表現は、光照射状態の場合に、約６００ｎｍから６３０ｎｍまでの範囲内の主波長を有する光を放射する固体発光体を意味する。
【００６８】
層、領域、または基板などの要素が、他の要素の「上に」ある、または「上へ」広がる、届く、伸びるなどと本明細書で言う場合、要素は、直接他の要素の上にあるか、上へ広がる、届く、伸びるか、または介在する要素も存在しうる。対照的に、要素が、他の要素の「上に直接」ある、「上へ直接」広がる、届く、伸びると本明細書で言う場合、介在する要素は存在しない。また、要素が、他の要素に「接続されている」、または「結合されている」と本明細書で言う場合、要素は、直接他の要素に接続されるか、または結合されうるか、あるいは介在する要素が存在しうる。対照的に、要素が、他の要素に「直接接続されている」か、または「直接結合されている」と本明細書で言う場合、介在する要素は存在しない。
【００６９】
「第１」、「第２」などの用語は、本明細書では、様々な要素、コンポーネント、領域、層、セクション、および／またはパラメータを記述するために使用される場合があるけれども、これらの要素、コンポーネント、領域、層、セクション、および／またはパラメータは、これらの用語によって限定されるべきではない。これらの用語は、一方の要素、コンポーネント、領域、層、またはセクションを他方の領域、層、またはセクションから区別するためにのみ使用される。したがって、後述の第１の要素、コンポーネント、領域、層、またはセクションは、本発明の主題の教示から逸脱することなく第２の要素、コンポーネント、領域、層、またはセクションと称することが可能である。
【００７０】
さらに、「下側」または「下端」および「上側」または「上端」などの相対語は、本明細書では、図に示されているように一方の要素の他方の要素に対する関係を記述するために使用することができる。このような相対語は、図中に示されている配向に加えてデバイスの異なる配向をも包含することを意図されている。例えば、図中のデバイスがひっくり返された場合、他の要素の「下側」にあると記述された要素は、他の要素の「上側」で向き付けられるであろう。したがって、例示的用語「下側」は、図の特定の向きに応じて、「下側」および「上側」の両方の向きを包含しうる。同様に、図の１つのデバイスがひっくり返された場合、他の要素の「下」または「真下」にあると記述された要素は、他の要素の「上」に向き付けられるであろう。したがって、「下」または「真下」という例示的な用語は、上および下の両方の向きも包含しうる。
【００７１】
「電流が第１の電力線に供給される場合」という表現の中で使用されているような「電流」という用語は、本明細書で説明されている対応する範囲内の主波長（またはピーク波長）を有する光を（複数の）固体発光体に放射させるのに十分な電流を意味する。
【００７２】
「直接的に、または切り替え可能な形で電気的接続される」という表現は、「直接的に電気的接続される」または「切り替え可能な形で電気的接続される」を意味する。
【００７３】
１つまたは複数の固体発光体が電力線に「電気的接続される」という本明細書における記述は、電流を電力線に供給することにより電流を（複数の）固体発光体に供給できることを意味する。
【００７４】
１つまたは複数のスイッチが電力線に電気的接続されるという本明細書における記述は、（１つまたは複数の）スイッチが閉じている場合に電流が電力線を通って流れることができ、また（１つまたは複数のスイッチ）が開いている場合に電流が電力線を通って流れるのを妨げられうることを意味する。
【００７５】
デバイス内の２つのコンポーネントが「切り替え可能な形で電気的接続される」という本明細書における記述は、２つのコンポーネントの間にスイッチが配置されており、このスイッチは開閉を選択的に行うことができ、スイッチが閉じられている場合に２つのコンポーネントは電気的接続され、スイッチが開いている場合に（つまり、スイッチが開いている期間中）２つのコンポーネントは電気的接続されないことを意味する。
【００７６】
固体発光体を指すときに本明細書で使用されているような「光照射」（または「光照射状態」または「被照射」または「照射された」）という表現は、少なくともある程度の電流が固体発光体に供給され、これにより固体発光体は、放出される放射線の少なくとも一部の波長が１００ｎｍから１０００ｎｍまでである少なくともある程度の電磁放射線を放出することを意味する。また、「光照射状態」または「被照射」という表現は、さらに、固体発光体が光を、その光が可視光であるか、または可視光であった場合に人間の目には光の連続的放射として知覚される速度で連続的にまたは間欠的に放射する状況、あるいは同じ色または異なる色の複数の固体発光体が光を、可視光であったか、または可視光である場合にそれらの色が人間の目には光の連続的放射として（また、異なる色の光が放射される場合には、それらの色の混合として）知覚されるように間欠的におよび／または交互に（「オン」時間で重なる場合も重ならない場合もある）放射している状況も包含する。
【００７７】
ルミホールを指すときに本明細書で使用されるような「励起状態」または「励起された」という表現は、少なくともある程度の電磁放射線（例えば、可視光、ＵＶ光、または赤外線）がルミホールに接触し、ルミホールに少なくともある程度の光を放出させることを意味する。「励起状態」または「励起された」という表現は、ルミホールが光を、人間の目には光の連続的放射として知覚される速度で連続的にまたは間欠的に放射する状況、あるいは同じ色または異なる色の複数のルミホールが光を、人間の目には光の連続的放射として（また、異なる色の光が放射される場合には、それらの色の混合として）知覚されるように間欠的におよび／または交互に（「オン」時間で重なる場合も重ならない場合もある）放射している状況を包含する。
【００７８】
本明細書で説明されている照明デバイスでは、固体発光体の「グループ」（例えば、「固体発光体の第１のグループ」）と言った場合、このグループは、単一の固体発光体または複数の固体発光体からなるものとすることができる。同様に、ルミホールの「グループ」（例えば、「ルミホールの第１のグループ」）と言った場合、このグループは、単一のルミホールまたは複数のルミホールからなるものとすることができる。
【００７９】
本明細書で使用されているような「照明デバイス」という表現は、デバイスが光を放射する能力を有することを示す以外に限定されるものではない。つまり、照明デバイスは、平面領域または立体領域、例えば、構造物、スイミングプールまたはスパ、部屋、倉庫、指示器、道路、駐車場、車両、標識、例えば、交通標識、広告看板、船舶、おもちゃ、鏡、大型船、電子デバイス、ボート、飛行機、スタジアム、コンピュータ、リモートオーディオデバイス、リモートビデオデバイス、携帯電話、樹木、窓、ＬＣＤディスプレイ、洞窟、トンネル、庭、街灯柱、またはエンクロージャに光を照射するデバイスまたはデバイスのアレイに光を照射するデバイス、またはエッジライト照明またはバックライト照明（例えば、バックライトポスター、標識、ＬＣＤディスプレイ）、電球の取り替え（例えば、ＡＣ白熱灯、低電圧灯、蛍光灯などの交換のため）、屋外照明に使用されるライト、セキュリティ照明に使用されるライト、外部住宅照明に使用されるライト（壁取り付け、支柱／柱取り付け）、天井器具／壁取り付け用燭台、キャビネット下照明、ランプ（床および／またはテーブルおよび／または机）、庭園燈、トラック照明、作業照明、専用照明、天井扇風機照明、古文書／美術品展示用照明、高振動／衝撃照明−作業用照明など、鏡／バニティミラー用照明に使用されるデバイス、または他の任意の発光デバイスとすることができる。
【００８０】
別に定義されていない限り、本明細書で使用されるすべての用語（技術用語および科学用語を含む）は、本発明の主題が属している技術分野の当業者に通常理解される意味と同じ意味を有する。さらに、よく使われる辞書で定義されているような用語は、関連する技術および本明細書の背景状況における意味と矛盾しない意味を持つものと解釈すべきであり、本開示で明確に定められていない限り、理想化されたまたは過度に正式の意味で解釈されないことは理解されるであろう。
【００８１】
本明細書で説明されている照明デバイスでは、照明デバイスに含まれる要素の任意の組合せは、パッケージ化して１つにまとめることができる（例えば、発光ダイオードパッケージのように）。例えば、本発明の主題の第１または第２の態様による照明デバイスのいくつかの実施形態は、（１）固体発光体の第１のグループの少なくとも１つと、ルミホールの第１のグループの少なくとも１つ、（２）固体発光体の第１のグループの１つと、ルミホールの第２のグループの少なくとも１つ、または（３）固体発光体の第１のグループの少なくとも１つ、ルミホールの第１のグループの少なくとも１つ、およびルミホールの第２のグループの少なくとも１つを含むパッケージを含む。同様に、本発明の主題の第１および第２の態様のいくつかの実施形態は、固体発光体の第１のグループ、固体発光体の第２のグループ（存在する場合）、ルミホールの第１のグループ、および（存在する場合に）ルミホールの第２のグループの任意の１つまたは複数を含む複数のパッケージを含むことができる。
【００８２】
本発明の主題によるそれぞれの照明デバイス内に収納されているルミホールは、デバイス内に収納されている固体発光体によって放射される光のどれかによって、および／またはデバイス内に収納されている他のルミホールによって放射される光のどれかによって励起されうる。様々な方式を簡単に思い付くことができ、またそれらの方式はすべて、本発明の主題に含まれる。例えば、単一の固体発光体、第１のルミホール、および第２のルミホールを含むデバイスでは、これらのルミホールは、固体発光体によって放射される光の一部が第１ルミホールを通過し、第２のルミホールを励起するような位置に配置できる（例えば、「積み重ねる」）。その代わりに、固体発光体によって放射される光はすべて、第１のルミホールまたは第２のルミホールに吸収されうるか（これにより、第１および第２のルミホールを励起し、第１および第２のルミホールに光を放射させる）、または固体発光体によって放射される光のすべては、第１のルミホールに吸収されうる（これにより、第１のルミホールを励起し、第１のルミホールに光を放射させる）。同様に、第１のルミホールによって放射される光の一部または全部は（固体発光体によって放射される光の一部または全部を吸収した結果として励起された後）、第２のルミホールによって吸収されるか、または第２のルミホールを通過しうる。その代わりに、ルミホールは、固体発光体によって放射される光が最初に第２のルミホールと接触し、次いで第１のルミホールと接触するか、またはルミホールのどれかと、他のルミホールをまだ通過しないまま接触するように配列できる。さらに、複数の固体発光体、および／または第１および／または第２のルミホールのうちの複数のルミホールは、それぞれから放射される光の一部または全部が所望のコンポーネントと接触するか、または他のコンポーネントと接触することなく照明デバイスから出るように、所望の方法で配列されうる。
【００８３】
本発明の主題によるデバイスで使用される固体発光体、および本発明の対象によるデバイスで使用される（１つまたは複数の）ルミホールは、当業者に知られている固体発光体およびルミホールのうちから選択できる。様々なこのような固体発光体およびルミホールが容易に入手可能であり、また当業者によく知られており、これらのうちのどれでも使用可能である。例えば、本発明の対象を実施する際に使用されうる固体発光体およびルミホールは、各種の文献において開示されている。
【００８４】
（例えば、参照により本明細書に組み込まれている２００５年１２月２２日に出願した「LIGHTING＼DEVICE」という表題の特許文献６（発明者：Ｇｅｒａｌｄ  Ｈ．Ｎｅｇｌｅｙ、整理番号９３１＿００３  ＰＲＯ）および２００６年１２月２１日に出願した特許文献７、
参照により本明細書に組み込まれている２００６年４月２４日に出願した「SHIFTING SPECTRAL CONTENT IN LEDS BY SPATIALLY SEPARATING LUMIPHOR FILMS」という表題の特許文献８（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿００６  ＰＲＯ）および２００７年１月１９日に出願した特許文献９、
参照により本明細書に組み込まれている２００６年５月２６日に出願した「LIGHTING DEVICE」という表題の特許文献１０（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿００９  ＰＲＯ）および２００７年５月２２日に出願した特許文献１１、
参照により本明細書に組み込まれている２００６年５月２６日に出願した「SOLID STATE LIGHT EMITTING DEVICE AND METHOD OF MAKING SAME」という表題の特許文献１２（発明者：Ｇｅｒａｌｄ  Ｈ．ＮｅｇｌｅｙおよびＮｅａｌ  Ｈｕｎｔｅｒ、整理番号９３１＿０１０  ＰＲＯ）および２００７年５月２４日に出願した特許文献１３、
参照により本明細書に組み込まれている２００６年５月２３日に出願した「LIGHTING DEVICE AND METHOD OF MAKING」という表題の特許文献１４（発明者：Ｇｅｒａｌｄ  Ｈ．Ｎｅｇｌｅｙ、整理番号９３１＿０１１  ＰＲＯ）および２００７年５月２２日に出願した特許文献１５、
参照により本明細書に組み込まれている２００６年４月２０日に出願した「LIGHTING DEVICE AND LIGHTING METHOD」という表題の特許文献１６（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿０１２  ＰＲＯ）および２００７年４月１８日に出願した特許文献１７、
参照により本明細書に組み込まれている２００６年８月２３日に出願した「LIGHTING DEVICE AND LIGHTING METHOD」という表題の特許文献１８（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、整理番号９３１＿０３４  ＰＲＯ）および２００７年８月２２日に出願した特許文献１９、
参照により本明細書に組み込まれている２００６年１０月１２日に出願した「LIGHTING DEVICE AND METHOD OF MAKING SAME」という表題の特許文献２０（発明者：Ｇｅｒａｌｄ  Ｈ．Ｎｅｇｌｅｙ、整理番号９３１＿０４１  ＰＲＯ）および２００７年１０月１１日に出願した特許文献２１、
参照により本明細書に組み込まれている２００７年５月８日に出願した「LIGHTING DEVICE AND LIGHTING METHOD」という表題の特許文献２２（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、整理番号９３１＿０７２  ＰＲＯ）、および
参照により本明細書に組み込まれている２００８年１月２２日に出願した「ILLUMINATION DEVICE HAVING ONE OR MORE LUMIPHORS, AND METHODS OF FABRICATING SAME」という表題の特許文献２３（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿０７９  ＮＰ）、２００７年１０月２６日に出願した特許文献２４（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿０７９  ＰＲＯ）参照。）。
【００８５】
このような種類の固体発光体の例としては、無機発光ダイオードおよび有機発光ダイオードがあり、様々な種類が当技術分野では知られている。
【００８６】
１つまたは複数のルミネッセンス材料は、所望の任意のルミネッセンス材料とすることができる。１つまたは複数のルミネッセンス材料は、下方変換または上方変換が可能であるか、あるいは両方の種類の組合せを含むことができる。例えば、１つまたは複数のルミネッセンス材料は、リン光体、シンチレータ、昼光テープ、紫外線を照射した後に可視スペクトルで発光するインクなどから選択されうる。
【００８７】
１つまたは複数のルミネッセンス材料は、所望の任意の形態のものとすることができる。例えば、ルミネッセンス材料は、シリコーン材料などの樹脂（つまり、ポリマーマトリクス）、エポキシ、実質的に透明なガラス、または金属酸化物材料に埋め込むことができる。
【００８８】
１つまたは複数のルミホールは、個別にどのようなルミホールでもよく、上記のように様々なものが当業者に知られている。例えば、（複数の）ルミホール（またはそのそれぞれ）は、１つまたは複数のリン光体を含むことができる（または本質的に１つまたは複数のリン光体からなるものとしてよいか、または１つまたは複数のリン光体からなるものとしてよい）。１または複数のルミホール（またはそのそれぞれ）は、望ましい場合に、さらに、１つまたは複数の透過率の高い（例えば、透明な、または実質的に透明な、またはいくぶん散光する）結合剤を含むことができ（または本質的に１つまたは複数の透過率の高い（例えば、透明な、または実質的に透明な、またはいくぶん散光する）結合剤からなるものとしてよいか、または１つまたは複数の透過率の高い（例えば、透明な、または実質的に透明な、またはいくぶん散光する）結合剤からなるものとしてよい）、例えば、エポキシ、シリコーン、ガラス、金属酸化物、または他の好適な材料で作ることができる（例えば、１つまたは複数の結合剤を含む与えられたルミホールでは、１つまたは複数のリン光体を１つまたは複数の結合剤の中に分散させることができる）。例えば、ルミホールは、一般に、厚ければ厚いほど、リン光体の重量パーセントが低くなりうる。しかし、ルミホールの全体的な厚さによっては、リン光体の重量パーセントは、一般的にどのような値でもよく、例えば、０．１重量パーセントから１００重量パーセントまでの値とすることが可能である（例えば、純粋なリン光体に熱間等静圧圧縮成形法を施すことにより形成されるリン光体）。
【００８９】
本発明の主題によるいくつかの実施形態は、単一のルミホールを含み、他の実施形態は、複数のルミホールを含む。複数のルミホールが存在する場合、ルミホールは分離しており、および／また所望の配列構成で形成されうる。例えば、ルミホールの第１のグループは、単一の第１グループルミホールからなり、ルミホールの第２のグループは、単一の第２グループルミホールからなるものとすることができる。その代わりに、ルミホールの第１のグループおよびルミホールの第２のグループは、一緒に、単一のルミホールからなるものとすることができる（つまり、「第１グループ第２グループルミホール」）。他の実施形態では、照明デバイスは、少なくとも第１の混合ルミホールを含み、第１の混合ルミホールはルミホールの第１のグループの少なくとも１つおよびルミホールの第２のグループの少なくとも１つを含むことができる。例えば、励起されると、本明細書で指定されているような異なる範囲内の光を放射する２つ以上の種類のルミネッセンス粉体を混ぜ合わせて、単一のカプセル封入材構造物中に埋め込み、および／または単一のカプセル封入材構造物内の異なる領域を占有するようにできる。同様に、励起されると本明細書で指定されているような異なる範囲内の光を放射する各ルミネッセンス粉体をそれぞれが含む２つ以上ルミネッセンス要素は、単一のルミホールの異なる領域を占有しうる。
【００９０】
１つまたは複数のルミホール（またはそのそれぞれ）は、独立に、さらに、多数のよく知られている添加物、例えば、拡散体、散乱体、着色材料などを含むことができる。
【００９１】
本発明の主題によるいくつかの実施形態では、文献で説明されているように、複数の発光ダイオードチップのうちの１つまたは複数は、複数のルミホールのうちの１つまたは複数と一緒に１つのパッケージ内に収められ、パッケージ内の１つまたは複数のルミホールは、パッケージ内で１つまたは複数の発光ダイオードチップから相隔てて並べられ、これにより光抽出効率を改善できる（例えば、参照により本明細書に組み込まれている２００５年１２月２２日に出願した「LIGHTING DEVICE」という表題の特許文献６（発明者：Ｇｅｒａｌｄ  Ｈ．Ｎｅｇｌｅｙ、整理番号９３１＿００３  ＰＲＯ）および２００６年１２月２１日に出願した特許文献７を参照）。
【００９２】
本発明の主題によるいくつかの実施形態では、文献で説明されているよう、２つ以上のルミホールを含み、これらのルミホールのうちの２つ以上が互いに相隔てて並べられうる（例えば、参照により本明細書に組み込まれている２００６年４月２４日に出願した「SHIFTING SPECTRAL CONTENT IN LEDS BY SPATIALLY SEPARATING LUMIPHOR FILMS」という表題の特許文献８（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿００６  ＰＲＯ）および２００７年１月１９日に出願した特許文献９参照）。
【００９３】
本発明の主題のいくつかの実施形態では、一組の平行固体発光体列（つまり、互いに平行に配列された固体発光体の２つ以上の列）は、電力線と直列に配列され、これにより、電流は電力線を通して固体発光体の各列のそれぞれに供給される。本明細書で使用されているような「列」という表現は、少なくとも２つの固体発光体が電気的に直列接続されていることを意味する。このようないくつかの実施形態では、各列内の固体発光体の相対量は、一方の列と次の列とでは異なり、例えば、第１の列は、第１のパーセンテージの近紫外線固体発光体を含み、第２の列は、第２のパーセンテージ（第１のパーセンテージと異なる）の近紫外線固体発光体を含む。代表例として、第１および第２の列はそれぞれ、もっぱら（つまり、１００％の）近紫外線固体発光体を含み、第３の列は５０％の近紫外線固体発光体および５０％の６００ｎｍから６３０ｎｍの固体発光体を含む（３つの列のそれぞれは、共通の電力線に電気的に接続されている）。そうすることにより、各波長の光の相対強度を容易に調節することが可能であり、これにより、ＣＩＥ色度図を効果的に扱い、および／または他の変更の補正を行うことが可能である。例えば、必要なときに赤色光の強度を高めて、６００ｎｍから６３０ｎｍの固体発光体によって発生する光の強度の低下を補正することができる。
【００９４】
本発明の主題のいくつかの実施形態では、固体発光体の各列の１つまたは複数に直接的にまたは切り替え可能な形で電気的接続されている１つまたは複数の電流調整器が含まれ、電流調整器は固体発光体の各列の１つまたは複数に供給される電流を調整するように調整されうる。このような実施形態のいくつかにおいて、（複数の）電流調整器は、１９３１  ＣＩＥ色度図上の黒体軌跡に載る少なくとも１つの点の４０個のマクアダム楕円（または２０個のマクアダム楕円、または１０個のマクアダム楕円、または５個のマクアダム楕円、または３個のマクアダム楕円）内に光の混合を維持するように自動的に調製される。
【００９５】
１９３１  ＣＩＥ色度図および／または１９７６  ＣＩＥ色度図上の黒体軌跡への近接度（例えば、マクアダム楕円内の）に関する本明細書で説明されている混合光に関して、本発明の主題は、さらに、２７００Ｋ、３０００Ｋ、または３５００Ｋの色温度を有する黒体軌跡上の光の近くに位置するそのような混合光を対象とする、つまり、
第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．４５７８、０．４１０１のｘ、ｙ座標を有し、第２の点は０．４８１３、０．４３１９のｘ、ｙ座標を有し、第３の点は０．４５６２、０．４２６０のｘ、ｙ座標を有し、第４の点は０．４３７３、０．３８９３のｘ、ｙ座標を有し、第５の点は０．４５９３、０．３９４４のｘ、ｙ座標を有する、第１、第２、第３、第４、および第５の線分によって囲まれた１９３１  ＣＩＥ色度図上の領域内にある点を定義するｘ、ｙ色座標を有する混合光（つまり、２７００Ｋに近い）、または
第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．４３３８、０．４０３０のｘ、ｙ座標を有し、第２の点は０．４５６２、０．４２６０のｘ、ｙ座標を有し、第３の点は０．４２９９、０．４１６５のｘ、ｙ座標を有し、第４の点は０．４１４７、０．３８１４のｘ、ｙ座標を有し、第５の点は０．４３７３、０．３８９３のｘ、ｙ座標を有する、第１、第２、第３、第４、および第５の線分によって囲まれた１９３１  ＣＩＥ色度図上の領域内にある点を定義するｘ、ｙ色座標を有する混合光（つまり、３０００Ｋに近い）、または
第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．４０７３、０．３９３０のｘ、ｙ座標を有し、第２の点は０．４２９９、０．４１６５のｘ、ｙ座標を有し、第３の点は０．３９９６、０．４０１５のｘ、ｙ座標を有し、第４の点は０．３８８９、０．３６９０のｘ、ｙ座標を有し、第５の点は０．４１４７、０．３８１４のｘ、ｙ座標を有する、第１、第２、第３、第４、および第５の線分によって囲まれた１９３１  ＣＩＥ色度図上の領域内にある点を定義するｘ、ｙ色座標を有する混合光（つまり、３５００Ｋに近い）を対象とする。
【００９６】
本発明の主題のいくつかの実施形態では、さらに、各列の１つまたは複数に電気的接続された１つまたは複数のスイッチが含まれ、スイッチは、各列上の（複数の）固体発光体に流される電流のオン、オフを選択的に切り替える。
【００９７】
本発明の主題のいくつかの実施形態では、１つまたは複数の電流調整器および／または１つまたは複数のスイッチは、照明デバイスからの出力の検出された変化（例えば、黒体軌跡からの偏位の程度）に応じて、または所望のパターン（例えば、組み合わされた放射光の相関する色温度の変化など、昼または夜の時間に基づく）に従って、１つまたは複数の各列を通る電流を自動的に遮断および／または調整する。
【００９８】
本発明の主題のいくつかの実施形態では、さらに、温度を検出し、温度が変化したときに、そのような温度変化を補正するため１つまたは複数の電流調整器および／または１つまたは複数のスイッチに１つまたは複数の各列を通る電流の遮断および／または調整を自動的に行わせる１つまたは複数のサーミスタが含まれる。一般に、６００ｎｍから６３０ｎｍまでの発光ダイオードは、温度の上昇とともに減光する−そのような実施形態では、そのような温度変化によって引き起こされる強度の変動を補正できる。
【００９９】
本発明の主題によるいくつかの照明デバイスでは、さらに、１つまたは複数の回路コンポーネント、例えば、照明デバイス内の１つまたは複数の固体発光体のうちの少なくとも１つを通る電流の供給および制御を行うための駆動電子回路が含まれる。当業者は、固体発光体を通過する電流の供給および制御を行うための様々な方法を熟知しており、またそのような方法は、本発明の主題のデバイス内で使用されうる。例えば、そのような回路は、少なくとも１つの接点、少なくとも１つのリードフレーム、少なくとも１つの電流調整器、少なくとも１つの電力制御装置、少なくとも１つの電圧制御装置、少なくとも１つブースト、少なくとも１つのキャパシタ、および／または少なくとも１つのブリッジ整流器を含むことができ、当業者であればそのようなコンポーネントを熟知しており、また望ましい電流特性を満たすように適切な回路を設計することが容易にできる。例えば、本発明の主題を実施する際に使用されうる回路は、各種の文献において開示されている。
【０１００】
（例えば、参照によりその全体が本明細書に組み込まれている２００６年６月１日に出願した「LIGHTING DEVICE WITH COOLING」という表題の特許文献２５（発明者：Ｔｈｏｍａｓ  Ｇ．Ｃｏｌｅｍａｎ、Ｇｅｒａｌｄ  Ｈ．Ｎｅｇｌｅｙ、およびＡｎｔｏｎｙ  Ｐａｕｌ  ｖａｎ  ｄｅ  Ｖｅｎ、整理番号９３１＿００７  ＰＲＯ）および２００７年１月２４日に出願した特許文献２６、
参照によりその全体が本明細書に組み込まれている２００６年５月３１日に出願した「LIGHTING DEVICE AND METHOD OF LIGHTING」という表題の特許文献２７（発明者：Ｇｅｒａｌｄ  Ｈ．Ｎｅｇｌｅｙ、整理番号９３１＿０１８  ＰＲＯ）および２００７年５月３０日に出願した特許文献２８、
参照によりその全体が本明細書に組み込まれている２００６年９月１３日に出願した「BOOST/FLYBACK POWER SUPPLY TOPOLOGY WITH LOW SIDE MOSFET CURRENT CONTROL」という表題の特許文献２９（発明者：Ｐｅｔｅｒ  Ｊａｙ  Ｍｙｅｒｓ、整理番号９３１＿０２０  ＰＲＯ）および２００７年９月１３日に出願した「CIRCUITRY FOR SUPPLYING ELECTRICAL POWER TO LOADS」という表題の特許文献３０、
２００７年６月１４日に出願した「DEVICES AND METHODS FOR POWER CONVERSION FOR LIGHTING DEVICES WHICH INCLUDE SOLID STATE LIGHT EMITTERS」という表題の特許文献３１（発明者：Ｐｅｔｅｒ  Ｊａｙ  Ｍｙｅｒｓ、整理番号９３１＿０７６  ＰＲＯ）、
参照によりその全体が本明細書に組み込まれている２００７年１１月２８日に出願した「SOLID STATE LIGHTING DEVICES AND METHODS OF MANUFACTURING THE SAME」という表題の特許文献３２（発明者：Ｇｅｒａｌｄ  Ｈ．Ｎｅｇｌｅｙ、Ａｎｔｏｎｙ  Ｐａｕｌ  ｖａｎ  ｄｅ  Ｖｅｎ、Ｋｅｎｎｅｔｈ  Ｒ．Ｂｙｒｄ、およびＰｅｔｅｒ  Ｊａｙ  Ｍｙｅｒｓ、整理番号９３１＿０８２  ＰＲＯ）および２００８年４月１日に出願した特許文献３３、および
参照によりその全体が本明細書に組み込まれている２００８年１月２３日に出願した「FREQUENCY CONVERTED DIMMING SIGNAL GENERATION」という表題の特許文献３４（発明者：Ｐｅｔｅｒ  Ｊａｙ  Ｍｙｅｒｓ、Ｍｉｃｈａｅｌ  Ｈａｒｒｉｓ、およびＴｅｒｒｙ  Ｇｉｖｅｎ、整理番号９３１＿０８５  ＰＲＯ）および２００８年３月２７日に出願した特許文献３５参照）。
【０１０１】
それに加えて、当業者であれば、多くの異なる種類の照明用の様々な取付構造物を熟知しており、またそのような構造はどれも、本発明の主題に従って使用できる。
【０１０２】
例えば、本発明の主題を実施する際に使用されうる固定具、他の取付構造物、および完成照明アセンブリは、各種の文献において開示されている。
【０１０３】
（例えば、参照によりその全体が本明細書に組み込まれている２００５年１２月２１日に出願した「LIGHTING DEVICE」という表題の特許文献３６（発明者：Ｇｅｒａｌｄ  Ｈ．Ｎｅｇｌｅｙ、Ａｎｔｏｎｙ  Ｐａｕｌ  ｖａｎ  ｄｅ  Ｖｅｎ、およびＮｅａｌ  Ｈｕｎｔｅｒ、整理番号９３１＿００２  ＰＲＯ）および２００６年１２月２０日に出願した特許文献３７、
参照によりその全体が本明細書に組み込まれている２００６年５月５日に出願した「LIGHTING DEVICE」という表題の特許文献３８（発明者：Ａｎｔｏｎｙ  Ｐａｕｌ  ｖａｎ  ｄｅ  Ｖｅｎ、整理番号９３１＿００８  ＰＲＯ）および２００７年５月３日に出願した特許文献３９、
参照によりその全体が本明細書に組み込まれている２００６年５月３１日に出願した「LIGHTING DEVICE AND METHOD OF LIGHTING」という表題の特許文献４０（発明者：Ｇｅｒａｌｄ  Ｈ．Ｎｅｇｌｅｙ、Ａｎｔｏｎｙ  Ｐａｕｌ  ｖａｎ  ｄｅ  Ｖｅｎ、およびＴｈｏｍａｓ  Ｇ．Ｃｏｌｅｍａｎ、整理番号９３１＿０１７  ＰＲＯ）および２００７年５月３０日に出願した特許文献４１、
参照によりその全体が本明細書に組み込まれている２００６年９月１８日に出願した「LIGHTING DEVICES, LIGHTING ASSEMBLIES, FIXTURES AND METHODS OF USING SAME」という表題の特許文献４２（発明者：Ａｎｔｏｎｙ  Ｐａｕｌ  ｖａｎ  ｄｅ  Ｖｅｎ、整理番号９３１＿０１９  ＰＲＯ）および２００７年９月１７日に出願した特許文献４３、
参照によりその全体が本明細書に組み込まれている２００６年９月２１日に出願した「LIGHTING ASSEMBLIES, METHODS OF INSTALLING SAME, AND METHODS OF REPLACING LIGHTS」という表題の特許文献４４（発明者：Ａｎｔｏｎｙ  Ｐａｕｌ  ｖａｎ  ｄｅ  ＶｅｎおよびＧｅｒａｌｄ  Ｈ．Ｎｅｇｌｅｙ、整理番号９３１＿０２１  ＰＲＯ）および２００７年９月２１日に出願した特許文献４５、
参照によりその全体が本明細書に組み込まれている２００６年１１月１３日に出願した「LIGHTING DEVICE, ILLUMINATED ENCLOSURE AND LIGHTING METHODS」という表題の特許文献４６（発明者：Ｇｅｒａｌｄ  Ｈ．Ｎｅｇｌｅｙ、整理番号９３１＿０２６  ＰＲＯ）および２００７年１１月１３日に出願した特許文献４７、
参照によりその全体が本明細書に組み込まれている２００６年１１月１４日に出願した「LIGHT ENGINE ASSEMBLIES」という表題の特許文献４８（発明者：Ｐａｕｌ  Ｋｅｎｎｅｔｈ  ＰｉｃｋａｒｄおよびＧａｒｙ  Ｄａｖｉｄ  Ｔｒｏｔｔ、整理番号９３１＿０３６  ＰＲＯ）および２００７年１１月１３日に出願した特許文献４９、
参照によりその全体が本明細書に組み込まれている２００６年１１月１４日に出願した「LIGHTING ASSEMBLIES AND COMPONENTS FOR LIGHTING ASSEMBLIES」という表題の特許文献５０（発明者：Ｇａｒｙ  Ｄａｖｉｄ  ＴｒｏｔｔおよびＰａｕｌ  Ｋｅｎｎｅｔｈ  Ｐｉｃｋａｒｄ、整理番号９３１＿０３７  ＰＲＯ）および２００７年４月１８日に出願した特許文献５１、
参照によりその全体が本明細書に組み込まれている２００６年１０月２３日に出願した「LIGHTING DEVICES AND METHODS OF INSTALLING LIGHT ENGINE HOUSINGS AND/OR TRIM ELEMENTS IN LIGHTING DEVICE HOUSINGS」という表題の特許文献５２（発明者：Ｇａｒｙ  Ｄａｖｉｄ  ＴｒｏｔｔおよびＰａｕｌ  Ｋｅｎｎｅｔｈ  Ｐｉｃｋａｒｄ、整理番号９３１＿０３８  ＰＲＯ）および２００７年１０月２３日に出願した特許文献５３、
参照によりその全体が本明細書に組み込まれている２００６年１１月３０日に出願した「LED DOWNLIGHT WITH ACCESSORY ATTACHMENT」という表題の特許文献５４（発明者：Ｇａｒｙ  Ｄａｖｉｄ  Ｔｒｏｔｔ、Ｐａｕｌ  Ｋｅｎｎｅｔｈ  Ｐｉｃｋａｒｄ、およびＥｄ  Ａｄａｍｓ、整理番号９３１＿０４４  ＰＲＯ）、
参照によりその全体が本明細書に組み込まれている２００７年５月７日に出願した「LIGHT FIXTURES, LIGHTING DEVICES, AND COMPONENTS FOR THE SAME」という表題の特許文献５５（発明者：Ｐａｕｌ  Ｋｅｎｎｅｔｈ  Ｐｉｃｋａｒｄ、Ｇａｒｙ  Ｄａｖｉｄ  Ｔｒｏｔｔ、およびＥｄ  Ａｄａｍｓ、整理番号９３１＿０５５  ＰＲＯ）および２００７年１１月３０日に出願した特許文献５６（発明者：Ｇａｒｙ  Ｄａｖｉｄ  Ｔｒｏｔｔ、Ｐａｕｌ  Ｋｅｎｎｅｔｈ  Ｐｉｃｋａｒｄ、およびＥｄ  Ａｄａｍｓ、整理番号９３１＿０５５  ＮＰ）、
参照によりその全体が本明細書に組み込まれている２００７年５月４日に出願した「LIGHTING FIXTURE」という表題の特許文献５７（発明者：Ｐａｕｌ  Ｋｅｎｎｅｔｈ  Ｐｉｃｋａｒｄ、Ｊａｍｅｓ  Ｍｉｃｈａｅｌ  ＬＡＹ、およびＧａｒｙ  Ｄａｖｉｄ  Ｔｒｏｔｔ、整理番号９３１＿０６９  ＰＲＯ）、
参照によりその全体が本明細書に組み込まれている２００７年５月７日に出願した「LIGHT FIXTURES AND LIGHTING DEVICES」という表題の特許文献５８（発明者：Ｇａｒｙ  Ｄａｖｉｄ  ＴｒｏｔｔおよびＰａｕｌ  Ｋｅｎｎｅｔｈ  Ｐｉｃｋａｒｄ、整理番号９３１＿０７１  ＰＲＯ）、および
参照によりその全体が本明細書に組み込まれている２００８年２月１５日に出願した「LIGHT FIXTURES AND LIGHTING DEVICES」という表題の特許文献５９（発明者：Ｐａｕｌ  Ｋｅｎｎｅｔｈ  ＰｉｃｋａｒｄおよびＧａｒｙ  Ｄａｖｉｄ  Ｔｒｏｔｔ、整理番号９３１＿０８６  ＰＲＯ）および２００８年３月１８日に出願した特許文献６０参照）。
【０１０４】
本発明の主題によるいくつかの照明デバイスでは、さらに、１つまたは複数の電源、例えば、１つまたは複数の電池および／または太陽電池、および／または１つまたは複数の標準ＡＣ電源プラグが含まれる。
【０１０５】
本発明の主題による照明デバイスは、固体発光体およびルミホールを望む数だけ含むことができる。例えば、本発明の主題による照明デバイスは、５０個以上の固体発光体を含むか、または１００個以上の固体発光体などを含むことができる。
【０１０６】
本発明の主題の照明デバイス内の可視光源は、所望の方法で配列され、取り付けられ、電力を供給され、また所望のハウジングもしくは固定具に取り付けられうる。好適な配列構成の代表例については各種の文献において説明されている。
【０１０７】
例えば、参照によりその全体が本明細書に組み込まれている２００８年１月２２日に出願した「FAULT TOLERANT LIGHT EMITTERS, SYSTEMS INCORPORATING FAULT TOLERANT LIGHT EMITTERS AND METHODS OF FABRICATING FAULT TOLERANT LIGHT EMITTERS」という表題の特許文献６１（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿０５６  ＮＰ）、２００７年１月２２日に出願した「HIGH VOLTAGE SOLID STATE LIGHT EMITTER」という表題の特許文献６２（発明者：Ｇｅｒａｌｄ  Ｈ．Ｎｅｇｌｅｙ、整理番号９３１＿０５６  ＰＲＯ）、２００７年１０月２６日に出願した「FAULT TOLERANT LIGHT EMITTERS, SYSTEMS INCORPORATING FAULT TOLERANT LIGHT EMITTERS AND METHODS OF FABRICATING FAULT TOLERANT LIGHT EMITTERS」という表題の特許文献６３（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿０５６  ＰＲＯ２）、および２００７年１１月９日に出願した特許文献６４（整理番号９３１＿０５６  ＰＲＯ３）、
参照によりその全体が本明細書に組み込まれている２００８年１月２２日に出願した「ILLUMINATION DEVICES USING EXTERNALLY INTERCONNECTED ARRAYS OF LIGHT EMITTING DEVICES, AND METHODS OF FABRICATING SAME」という表題の特許文献６５（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿０７８  ＮＰ）、２００７年１０月２６日に出願した特許文献６６（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿０７８  ＰＲＯ）、および２００７年１１月９日に出願した特許文献６７（整理番号９３１＿０７８  ＰＲＯ２）、
参照によりその全体が本明細書に組み込まれている２００８年１月２２日に出願した「ILLUMINATION DEVICE HAVING ONE OR MORE LUMIPHORS, AND METHODS OF FABRICATING SAME」という表題の特許文献２３（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿０７９  ＮＰ）、２００７年１０月２６日に出願した特許文献２４（発明者：Ｇｅｒａｌｄ  Ｈ．ＮｅｇｌｅｙおよびＡｎｔｏｎｙ  Ｐａｕｌ  ｖａｎ  ｄｅ  Ｖｅｎ、整理番号９３１＿０７９  ＰＲＯ）参照。
【０１０８】
それに加えて、当業者であれば、様々な配列構成、取付方式、電力供給装置、ハウジング、および固定具を熟知しており、そのような配列構成、方式、装置、ハウジング、および固定具は、本発明の主題に関連して使用されうる。本発明の主題の照明デバイスは、所望の電源に電気的接続され（または、選択的に接続され）ようにでき、当業者であれば様々なそのような電源を熟知している。
【０１０９】
固体発光体およびルミホールは、所望のパターンで配列できる。
【０１１０】
本発明の主題によるデバイスは、さらに、１つまたは複数の耐用期間の長い冷却デバイス（例えば、極端に長い耐用期間を有するファン）を含むことができる。このような耐用期間の長い（複数の）冷却デバイスは、「中国扇子」などの空気を動かす圧電材料または磁気抵抗材料（例えば、ＭＲ、ＧＭＲ、および／またはＨＭＲ材料）を含むことができる。本発明の主題によるデバイスを冷却する際に、典型的には、１０から１５℃の温度低下を誘発するために境界層を破壊するのに十分な量の空気があればよい。したがって、このような場合、強い「風」または大きな流体流量（大きなＣＦＭ）は、典型的には必要ない（これにより、従来のファンが必要なくなる）。
【０１１１】
さらに、本発明の主題によるデバイスは、放射光の投影される性質をさらに変更するための二次光学系を含むことができる。このような二次光学系は、当業者によく知られており、したがって、本明細書では詳しく説明される必要のないものである−そのような二次光学系は、必要ならば使用してもよい。
【０１１２】
さらに、本発明の主題によるデバイスは、センサーまたは充電器もしくはカメラなどを含むことができる。例えば、当業者であれば、１つまたは複数の出現を検出し（例えば、物体または人の動きを検出するモーション検出器）、そのような検出結果に応じて、光の照射をトリガーするデバイスを熟知しており、また容易に取り扱える。代表例として、本発明の主題によるデバイスは、本発明の主題による照明デバイスおよびモーションセンサーを含むことができ、また（１）光照射が行われている間、モーションセンサーが動きを検出した場合に、セキュリティカメラが作動して、動きが検出された位置の、またはその周囲の視覚的データを記録し、（２）モーションセンサーが動きを検出した場合に、光照射が行われて、動きが検出された位置の近くの領域を照明し、セキュリティカメラが作動して、動きが検出された位置の、またはその周囲の視覚的データを記録するといったことを行うように構成できる。
【０１１３】
本発明の主題による実施形態は、本明細書では、本発明の主題の理想化された実施形態の略図となっている断面図（および／または平面図）を参照しつつ説明されている。そのようなものとして、例えば製造技術および／または許容誤差があるため図の形状と異なる場合のあることが予想される。したがって、本発明の主題の実施形態は、本明細書で例示されている領域の特定の形状に制限されるものとして解釈されるべきでなく、例えば製造から結果として生じる形状の外れを含むものとすべきである。例えば、矩形であると例示または説明されている成形領域は、典型的には、丸いまたは湾曲した特徴を持つ。したがって、図に例示されている領域は、本質的に概略を示すものであり、その形状は、デバイスの領域の正確な形状を示すことを意図されておらず、また本発明の主題の範囲を制限することも意図されていない。
【０１１４】
図４は、本発明の主題による照明デバイスの第１の実施形態を示している。
【０１１５】
図４を参照すると、照明デバイス１０が示されている。照明デバイス１０は、熱拡散要素１１（アルミニウム成形）、絶縁領域１２（熱伝導性を有し、電気伝導性を有しない所望の材料であって、例えば、炭化ケイ素、ダイヤモンド、立方晶窒化ホウ素、アルミナなどを適宜充填したセラミック、エポキシ、またはシリコーン等の様々なものが当業者によく知られている材料を含む）、高反射面１３（アルミニウム熱拡散要素の表面を研磨してその場で形成されるか、またはＭＣＰＥＴ（登録商標）（日本企業の古河電気工業株式会社により販売）から作られる）、銅で作られた伝導性トレース１４、銀メッキされた銅（または銀メッキされた軟鋼）で作られたリードフレーム１５、第１および第２のパッケージ化されたＬＥＤ  １６ａおよび１６ｂ（以下でさらに詳しく説明される）、拡散光散乱面を持つ反射コーン１７（ＭＣＰＥＴ（登録商標）で作られる）、および拡散要素１８（拡散要素１８は光散乱機能を実行する）を含む。拡散要素１８はガラスまたはプラスチック製であり、表面特徴を持つ。図４に示されているデバイスは、さらに、伝導性トレース１４を備えるプリント基板（ＰＣＢ）２８を含む。
【０１１６】
第１のパッケージ化されたＬＥＤ  １６ａが図５に示されている。ＬＥＤ  １６ａは、光照射状態のときに、近紫外線領域内のピーク波長を有する光を放射するＬＥＤ  ３１、および励起状態のときに、約５５５ｎｍから約５８５ｎｍの範囲内の主波長を有する光を放射するルミホール３５ａを含む。
【０１１７】
第２のパッケージ化されたＬＥＤ  １６ｂが図６に示されている。ＬＥＤ  １６ｂは、光照射状態のときに、約６００ｎｍから約６３０ｎｍまでの範囲内の主波長を有する光を放射するＬＥＤ  ２１を含む（また、ＬＥＤ  １６ｂはルミホールを含まない）。
【０１１８】
熱拡散要素１１は、熱を拡散させるために使用され、ヒートシンクとして働き、ＬＥＤから出る熱を散逸させる。同様に、反射コーン１７も、ヒートシンクとして機能する。
【０１１９】
第１のパッケージ化されたＬＥＤ  １６ａによって放射された照明デバイス１０から出る光は、１９３１  ＣＩＥ色度図上の第１の領域、例えば、第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．３２、０．４０のｘ、ｙ座標を有し、第２の点は０．３６、０．４８のｘ、ｙ座標を有し、第３の点は０．４３、０．４５のｘ、ｙ座標を有し、第４の点は０．４２、０．４２のｘ、ｙ座標を有し、第５の点は０．３６、０．３８のｘ、ｙ座標を有し、特定の例では２８５０Ｋの光については０．３７０６、０．４３７０の、３４００Ｋの光については０．３５５０、０．４０８９のｘ、ｙ座標を有する点を含む、第１、第２、第３、第４、および第５の線分によって囲まれた領域内にある点を定義するｘ、ｙ色座標を有する、１９３１  ＣＩＥ色度図上の点に対応する。
【０１２０】
第１のパッケージ化されたＬＥＤ  １６ａによって放射された照明デバイス１０から出る光と、第２のパッケージ化されたＬＥＤ  １６ｂによって放射された照明デバイス１０から出る光との組合せは、１９３１  ＣＩＥ色度図上の黒体軌跡上の少なくとも１つの点の１０個のマクアダム楕円内にある１９３１  ＣＩＥ色度図上の１つの点に対応する。
【０１２１】
図７は、本発明の主題による照明デバイスの第２の実施形態を示している。第２の実施形態は、第１のパッケージ化されたＬＥＤ  １６ａおよび第２のパッケージ化されたＬＥＤ  １６ｂの代わりに、第２の実施形態はＬＥＤチップ４６、第１のルミホール５３、および第２のルミホール５１を含むパッケージ化されたＬＥＤ  ４５（ＬＥＤ  ４５の一部を示している図８参照）を含むことを除き、第１の実施形態に類似している。ＬＥＤチップ４６は、光照射状態のときに、近紫外線領域内のピーク波長を有する光を放射する。第１のルミホール５３は、励起状態のときに、約５５５ｎｍから約５８５ｎｍの範囲内の主波長を有する光を放射する。第２のルミホール５１は、励起状態のときに、約６００ｎｍから約６３０ｎｍの範囲内の主波長を有する光を放射する。
【０１２２】
図９は、本発明の主題による照明デバイスの第３の実施形態を示している。第３の実施形態は、第２のパッケージ化されたＬＥＤ  １６ｂの代わりに、第３の実施形態では、光照射状態のときに、近紫外線領域にピーク波長を有する光を放射するＬＥＤチップ３１、および励起状態のときに約６００ｎｍから約６３０ｎｍまでの範囲内の主波長を有する光を放射するルミホール４５ａを含むパッケージ化されたＬＥＤ  １６ｃ（図１０に示されている）を含むことを除き、第１の実施形態に類似している。
【０１２３】
図９に示すデバイス内の回路の一部の電気回路図である図１１を参照すると、照明デバイスは、ＬＥＤ  １６ａの第１の列４１、ＬＥＤ  １６ｃの第２の列４２、およびＬＥＤ  １６ａとＬＥＤ  １６ｃの混合を含む第３の列４３を含み、これらの列は互いに並列に配列され、共通の電力線４４に電気的に接続されている。それぞれの列は、各電流調整器４５、４６、４７を含む。
【０１２４】
図１２は、第１の線分が第１の点と第２の点を結び、第２の線分が第２の点と第３の点を結び、第３の線分が第３の点と第４の点を結び、第４の線分が第４の点と第５の点を結び、第５の線分が第５の点と第１の点を結び、第１の点は０．３２、０．４０のｘ、ｙ座標を有し、第２の点は０．３６、０．４８のｘ、ｙ座標を有し、第３の点は０．４３、０．４５のｘ、ｙ座標を有し、第４の点は０．４２、０．４２のｘ、ｙ座標を有し、第５の点は０．３６、０．３８のｘ、ｙ座標を有する、第１、第２、第３、第４、および第５の線分によって囲まれている１９３１  ＣＩＥ色度図上の領域５０を示している。
【０１２５】
住宅用屋内照明の場合、色温度は２７００ｋから３３００ｋまでが通常は好ましく、カラフルなシーンの屋外投光照明の場合、昼光５０００Ｋ（４５００〜６５００Ｋ）に近い色温度が好ましい。
【０１２６】
本明細書で説明されている照明デバイスの２つ以上の構造部分は、一体化が可能である。本明細書で説明されている照明デバイスの構造部分は、２つ以上の部分に分けて構成することができる（必要ならばまとめることもできる）。
【０１２７】
さらに、本発明の主題のいくつかの実施形態は、要素の特定の組合せを参照しつつ例示されているが、様々な他の組合せも、本発明の主題の教示から逸脱することなく実現することができる。したがって、本発明の主題は、本明細書で図示されている特定の例示的な実施形態に制限されるものとして解釈されるべきでなく、様々な例示されている実施形態の要素の複数の組合せを包含するものとしてもよい。
【０１２８】
多くの変更形態および修正形態も、当業者であれば、本発明の主題の精神および範囲から逸脱することなく、本発明の開示の利点を活かして製作することができる。したがって、例示されている実施形態は、例を示すことのみを目的として記載されていること、また以下の特許請求の範囲によって定義されるような本発明の主題を制限するものとして解釈されるべきではないことを理解しなければならない。したがって、以下の特許請求の範囲は、文字通りに記載されている要素の組合せだけでなく実質的に同じ結果を得るために実質的に同じようにして実質的に同じ機能を実行するためのすべての同等の要素をも含むとして解釈されるべきである。したがって、これら特許請求の範囲は、上で特に例示され、説明されているもの、概念上同等のもの、さらに本発明の主題の本質的アイデアを組み込んだものを含むと考えなければならない。
【図１】
2010527155.tif 000003
【図２】
2010527155.tif 000004
【図３】
2010527155.tif 000005
【図４】
2010527155.tif 000006
2010527155.tif 000007
【図５】
2010527155.tif 000008
【図６】
2010527155.tif 000009
【図７】
2010527155.tif 000010
2010527155.tif 000011
【図８】
2010527155.tif 000012
【図９】
2010527155.tif 000013
2010527155.tif 000014
【図１０】
2010527155.tif 000015
【図１１】
2010527155.tif 000016
【図１２】
2010527155.tif 000017
【手続補正書】
【提出日】平成22年1月8日(2010.1.8)
【手続補正１】
【補正対象書類名】特許請求の範囲
【補正対象項目名】全文
【補正方法】変更
【補正の内容】
【特許請求の範囲】
【請求項１】
少なくとも１つの固体発光体を含む固体発光体の第１のグループと、
第１のルミネッセンス材料と、
を含む照明デバイスであって、
前記固体発光体の第１のグループのそれぞれは、光照射状態の場合、約３８０ｎｍから約４３０ｎｍまでの範囲内にピーク波長を有する光を放射し、
前記第１のルミネッセンス材料は、励起された場合、約５５５ｎｍから約５８５ｎｍの範囲内に主波長を有する光を放射し、
前記固体発光体の第１のグループのそれぞれが光照射状態で、前記第１のルミネッセンス材料の少なくとも一部が励起状態の場合、（１）前記固体発光体の第１のグループによって放射された前記照明デバイスから放射される光と、（２）前記第１のルミネッセンス材料によって放射された前記照明デバイスから放射される光との混合は、追加の光が存在しない場合に、第１の線分が第１の点と第２の点を結び、第２の線分が前記第２の点と第３の点を結び、第３の線分が前記第３の点と第４の点を結び、第４の線分が前記第４の点と第５の点を結び、第５の線分が前記第５の点と前記第１の点を結び、前記第１の点は０．３２、０．４０のｘ、ｙ座標を有し、前記第２の点は０．３６、０．４８のｘ、ｙ座標を有し、前記第３の点は０．４３、０．４５のｘ、ｙ座標を有し、前記第４の点は０．４２、０．４２のｘ、ｙ座標を有し、前記第５の点は０．３６、０．３８のｘ、ｙ座標を有する、前記第１の線分、前記第２の線分、前記第３の線分、前記第４の線分、および前記第５の線分によって囲まれた１９３１  ＣＩＥ色度図上の領域内にある点を定義するｘ、ｙ色座標を有する混合光照射をもたらすことを特徴とする照明デバイス。
【請求項２】
前記固体発光体の第１のグループのそれぞれが光照射状態の場合、前記固体発光体の第１のグループによって放射される少なくとも一部の光は、前記第１のルミネッセンス材料の少なくとも一部を励起し、（１）前記固体発光体の第１のグループによって放射された前記照明デバイスから放射される光と、（２）前記第１のルミネッセンス材料によって放射された前記照明デバイスから放射される光との混合は、追加の光が存在しない場合に、第１の線分が第１の点と第２の点を結び、第２の線分が前記第２の点と第３の点を結び、第３の線分が前記第３の点と第４の点を結び、第４の線分が前記第４の点と第５の点を結び、第５の線分が前記第５の点と前記第１の点を結び、前記第１の点は０．３２、０．４０のｘ、ｙ座標を有し、前記第２の点は０．３６、０．４８のｘ、ｙ座標を有し、前記第３の点は０．４３、０．４５のｘ、ｙ座標を有し、前記第４の点は０．４２、０．４２のｘ、ｙ座標を有し、前記第５の点は０．３６、０．３８のｘ、ｙ座標を有する、前記第１の線分、前記第２の線分、前記第３の線分、前記第４の線分、および前記第５の線分によって囲まれた１９３１  ＣＩＥ色度図上の領域内にある点を定義するｘ、ｙ色座標を有する混合光照射をもたらすことを特徴とする請求項１に記載の照明デバイス。
【請求項３】
前記照明デバイスは、光照射状態の場合に約６００ｎｍから約６３０ｎｍの範囲内に主波長を有する光を放射する固体発光体の第２のグループをさらに含み、前記固体発光体の第２のグループは少なくとも１つの固体発光体を含み、
前記固体発光体の第１のグループのそれぞれが光照射状態であり、前記固体発光体の第２のグループのそれぞれが光照射状態である場合、前記固体発光体の第１のグループによって放射される少なくとも一部の光は、前記第１のルミネッセンス材料の少なくとも一部を励起し、かつ、（１）前記固体発光体の第１のグループによって放射された前記照明デバイスから放射される光と、（２）前記第１のルミネッセンス材料によって放射された前記照明デバイスから放射される光と、（３）前記固体発光体の第２のグループによって放射された前記照明デバイスから放射される光との混合は、追加の光が存在しない場合に、１９３１  ＣＩＥ色度図上の前記黒体軌跡に載っている少なくとも１つの点の２０個のマクアダム楕円内にある点を定義する１９３１  ＣＩＥ色度図上のｘ、ｙ座標を有する組み合わされた光照射をもたらすことを特徴とする請求項１または２に記載の照明デバイス。
【請求項４】
前記固体発光体の第１のグループのそれぞれが光照射状態であり、前記固体発光体の第２のグループのそれぞれが光照射状態である場合に、前記混合は少なくとも８５のＣＲＩ  Ｒａを有することを特徴とする請求項３に記載の照明デバイス。
【請求項５】
前記照明デバイスは、励起状態の場合に約６００ｎｍから約６３０ｎｍの範囲内に主波長を有する光を放射する第２のルミネッセンス材料をさらに含み、
前記固体発光体の第１のグループのそれぞれが光照射状態の場合、前記固体発光体の第１のグループによって放射される少なくとも一部の光は、前記第１のルミネッセンス材料の少なくとも一部および前記第２のルミネッセンス材料の少なくとも一部を励起し、かつ、（１）前記固体発光体の第１のグループによって放射された前記照明デバイスから放射される光と、（２）前記第１のルミネッセンス材料によって放射された前記照明デバイスから放射される光と、（３）前記第２のルミネッセンス材料によって放射された前記照明デバイスから放射される光の混合は、追加の光が存在しない場合に、１９３１  ＣＩＥ色度図上の前記黒体軌跡に載っている少なくとも１つの点の２０個のマクアダム楕円内にある点を定義する１９３１  ＣＩＥ色度図上のｘ、ｙ座標を有する組み合わされた光照射をもたらすことを特徴とする請求項１または２に記載の照明デバイス。
【請求項６】
前記固体発光体の第１のグループのそれぞれが光照射状態の場合、前記混合は少なくとも８５のＣＲＩ  Ｒａを有することを特徴とする請求項５に記載の照明デバイス。
【請求項７】
前記照明デバイスは、少なくとも第１のパッケージを含み、前記第１のパッケージは、前記固体発光体の第１のグループの少なくとも１つおよび前記第１のルミネッセンス材料の少なくとも一部を含むことを特徴とする請求項１から６のうちのいずれか一項に記載の照明デバイス。
【請求項８】
前記第１のルミネッセンス材料の少なくとも一部は、少なくとも１つのルミホール内に位置付けされることを特徴とする請求項１から７のうちのいずれか一項に記載の照明デバイス。
【請求項９】
前記照明デバイスは、少なくとも第１の電力線をさらに含み、
エネルギーが前記第１の電力線に供給される場合、（１）前記固体発光体の第１のグループによって放射された前記照明デバイスから放射される光と、（２）前記第１のルミネッセンス材料によって放射された前記照明デバイスから放射される光との混合は、追加の光が存在しない場合に、第１の線分が第１の点と第２の点を結び、第２の線分が前記第２の点と第３の点を結び、第３の線分が前記第３の点と第４の点を結び、第４の線分が前記第４の点と第５の点を結び、第５の線分が前記第５の点と前記第１の点を結び、前記第１の点は０．３２、０．４０のｘ、ｙ座標を有し、前記第２の点は０．３６、０．４８のｘ、ｙ座標を有し、前記第３の点は０．４３、０．４５のｘ、ｙ座標を有し、前記第４の点は０．４２、０．４２のｘ、ｙ座標を有し、前記第５の点は０．３６、０．３８のｘ、ｙ座標を有する、前記第１の線分、前記第２の線分、前記第３の線分、前記第４の線分、および前記第５の線分によって囲まれた１９３１  ＣＩＥ色度図上の領域内にある点を定義するｘ、ｙ色座標を有する混合光照射をもたらすことを特徴とする請求項１、７、および８のうちのいずれか一項に記載の照明デバイス。
【請求項１０】
前記照明デバイスは、約６００ｎｍから約６３０ｎｍの範囲内に主波長を有する光を放射する少なくとも１つの発光体をさらに含み、
エネルギーが前記第１の電力線に供給される場合、（１）前記固体発光体の第１のグループによって放射された前記照明デバイスから放射される光と、（２）前記第１のルミネッセンス材料によって放射された前記照明デバイスから放射される光と、（３）約６００ｎｍから約６３０ｎｍまでの範囲内に主波長を有する光を放射する前記少なくとも１つの発光体によって放射された前記照明デバイスから放射される光との混合は、追加の光が存在しない場合に、１９３１  ＣＩＥ色度図上の黒体軌跡に載る少なくとも１つの点の２０個のマクアダム楕円内にある１つの点を定義する１９３１  ＣＩＥ色度図上のｘ、ｙ座標を持つ組み合わされた照明をもたらすことを特徴とする請求項９に記載の照明デバイス。
【請求項１１】
前記固体発光体の第１のグループの少なくとも１つは、発光ダイオードを含むことを特徴とする請求項１から１０のうちのいずれか一項に記載の照明デバイス。
【請求項１２】
照明方法であって、
少なくとも１つの固体発光体を含む固体発光体の第１のグループに光照射を行わせ、前記固体発光体の第１のグループのそれぞれが約３８０ｎｍから約４３０ｎｍまでの範囲内にピーク波長を有する光を放射するステップと、
第１のルミネッセンス材料の少なくとも一部を励起し、前記第１のルミネッセンス材料の少なくとも一部が約５５５ｎｍから約５８５ｎｍの範囲内に主波長を有する光を放射するステップと、
を備え、
（１）前記固体発光体の第１のグループによって放射された前記照明デバイスから放射される光と、（２）前記第１のルミネッセンス材料によって放射された前記照明デバイスから放射される光との混合は、追加の光が存在しない場合に、第１の線分が第１の点と第２の点を結び、第２の線分が前記第２の点と第３の点を結び、第３の線分が前記第３の点と第４の点を結び、第４の線分が前記第４の点と第５の点を結び、第５の線分が前記第５の点と前記第１の点を結び、前記第１の点は０．３２、０．４０のｘ、ｙ座標を有し、前記第２の点は０．３６、０．４８のｘ、ｙ座標を有し、前記第３の点は０．４３、０．４５のｘ、ｙ座標を有し、前記第４の点は０．４２、０．４２のｘ、ｙ座標を有し、前記第５の点は０．３６、０．３８のｘ、ｙ座標を有する、前記第１の線分、前記第２の線分、前記第３の線分、前記第４の線分、および前記第５の線分によって囲まれた１９３１  ＣＩＥ色度図上の領域内にある点を定義するｘ、ｙ色座標を有する混合光照射をもたらすことを特徴とする方法。
【請求項１３】
前記方法は、さらに、約６００ｎｍから約６３０ｎｍの範囲内に主波長を有する光を放射する発光体のグループから光を放射するステップを含むことを特徴とする請求項１２に記載の方法。
【請求項１４】
（１）前記固体発光体の第１のグループによって放射された前記照明デバイスから放射される光と、（２）前記第１のルミネッセンス材料によって放射された前記照明デバイスから放射される光と、（３）約６００ｎｍから約６３０ｎｍまでの範囲内に主波長を有する光を放射する前記発光体のグループによって放射された前記照明デバイスから放射される光との混合は、追加の光が存在しない場合に、１９３１  ＣＩＥ色度図上の黒体軌跡に載る少なくとも１つの点の２０個のマクアダム楕円内にある点を定義する１９３１  ＣＩＥ色度図上のｘ、ｙ座標を持つ組み合わされた照明をもたらすことを特徴とする請求項１３に記載の方法。
【請求項１５】
前記固体発光体の第１のグループから放射される光は、前記第１のルミネッセンス材料の少なくとも一部を励起することを特徴とする請求項１２から１４のうちのいずれか一項に記載の方法。
【国際調査報告】
2010527155.tif 000018
2010527155.tif 000019